(57)【要約】アクセス端末（ＡＴ）とアクセスポイント（ＡＰ）を通じてＡＴと交信するデバイスとの間において通信するための方法及び装置が説明される。一特長により、交信デバイスは、用いられるアドレスの対象となる通信、例えばＭＡＣパケット、のソースに基づいて解釈される特定のアドレスを割り当てることができる。該アドレスは、送信者のアイデンティティを考慮に入れる必要なしに解釈する及び／又は用いることができるその他のアドレスとは異なる型であると解釈することができる。幾つかの実施形態においては、セッションコントローラ及び／又はインターネットアタッチメントポイント（ＩＡＰ）は、該アドレスによって識別される。前記アドレス値は、１つ以上のＡＴに関して同じであるが、該ＩＡＰアドレスを受信中のＡＰにおいては、前記ＩＡＰ又はセッションコントローラアドレスを含む前記パケットを送信したＡＴに対応する情報に基づいて解釈される。  【代表図】    図５
2009540697.tif 000002
【特許請求の範囲】
【請求項１】
アクセスポイントを動作させる方法であって、
アクセス端末から通信された第１のパケットをエアリンクから受信することであって、前記第１のパケットは、ネットワークデバイスに通信されるべき情報と前記ネットワークデバイスに対応する予め定義されたエアリンクアドレスとを含み、前記ネットワークデバイスは、前記予め決められたエアリンクアドレスよりも長いＩＰアドレスを有することと、
前記予め定義されたエアリンクアドレスに対応するＩＰアドレスを予め定義されたエアリンクアドレスとＩＰアドレスとの間でマッピングする情報から決定すること、とを具備する、方法。
【請求項２】
前記ネットワークデバイスに向けられた第２のパケットを送信することであって、前記送信された第２のパケットは、前記決定されたＩＰアドレスと前記ネットワークデバイスに通信されるべき前記情報とを含むことをさらに具備する請求項１に記載の方法。
【請求項３】
前記予め定義されたエアリンクアドレスに対応するＩＰアドレスを前記決定することは、予め定義されたエアリンクアドレスをネットワークデバイスのＩＰアドレスにマッピングする情報を含む請求項２に記載の方法。
【請求項４】
前記予め定義されたエアリンクアドレスに対応するＩＰアドレスを決定する前記ステップは、受信された前記第１のパケットを送信した前記アクセス端末を識別する情報の関数として実行され、予め定義されたエアリンクアドレスをＩＰアドレスにマッピングする前記情報は、予め定義されたエアリンクアドレスを前記予め定義されたアドレスを含んでいた前記パケットのソースに依存して異なるＩＰアドレスにマッピングする情報を含む請求項３に記載の方法。
【請求項５】
前記予め定義されたアドレスは、インターネットアタッチメントポイントアドレスである請求項４に記載の方法。
【請求項６】
前記予め定義されたアドレスは、セッションコントローラアドレスである請求項４に記載の方法。
【請求項７】
前記予め定義されたエアリンクアドレスは、予約されたアドレスであり、前記データベース内の前記予め定義されたエアリンクアドレスのうちの少なくとも１つは、エアリンクを通じて前記アクセス端末によって用いられるその他のあらゆるアドレスと同じ短さであるか又はより短い請求項４に記載の方法。
【請求項８】
装置であって、
アクセス端末から通信された第１のパケットをエアリンクから受信し、
前記予め定義されたエアリンクアドレスに対応するＩＰアドレスを予め定義されたエアリンクアドレスとＩＰアドレスとの間でマッピングする情報から決定するように構成されたプロセッサであって、前記第１のパケットは、ネットワークデバイスに通信されるべき情報と前記ネットワークデバイスに対応する予め定義されたエアリンクアドレスとを含み、前記ネットワークデバイスは、前記予め決められたエアリンクアドレスよりも長いＩＰアドレスを有するプロセッサ、を具備する、装置。
【請求項９】
前記プロセッサは、前記ネットワークデバイスに向けられた第２のパケットを送信するようにさらに構成され、前記送信された第２のパケットは、前記決定されたＩＰアドレスと前記ネットワークデバイスに通信されるべき前記情報とを含む請求項８に記載の装置。
【請求項１０】
前記プロセッサは、前記予め定義されたエアリンクアドレスに対応するＩＰアドレスを決定する際に、
予め定義されたエアリンクアドレスをネットワークデバイスのＩＰアドレスにマッピングする情報を含むデータベースにアクセスするようにさらに構成される請求項９に記載の装置。
【請求項１１】
前記プロセッサは、前記予め定義されたエアリンクアドレスに対応するＩＰアドレスを受信された前記第１のパケットを送信した前記アクセス端末を識別する情報の関数として決定するようにさらに構成され、予め定義されたエアリンクアドレスをＩＰアドレスにマッピングする前記情報は、予め定義されたエアリンクアドレスを前記予め定義されたアドレスを含んでいた前記パケットのソースに依存して異なるＩＰアドレスにマッピングする情報を含む請求項１０に記載の装置。
【請求項１２】
前記予め定義されたアドレスは、インターネットアタッチメントポイントアドレスである請求項１１に記載の装置。
【請求項１３】
その他の通信デバイスと通信する方法を実装するためにアクセスポイントを動作させるための機械によって実行可能な命令を具体化したコンピュータによって読み取り可能な媒体であって、前記方法は、
アクセス端末から通信された第１のパケットをエアリンクから受信することであって、前記第１のパケットは、ネットワークデバイスに通信されるべき情報と前記ネットワークデバイスに対応する予め定義されたエアリンクアドレスとを含み、前記ネットワークデバイスは、前記予め決められたエアリンクアドレスよりも長いＩＰアドレスを有することと、
前記予め定義されたエアリンクアドレスに対応するＩＰアドレスを予め定義されたエアリンクアドレスとＩＰアドレスとの間でマッピングする情報から決定すること、とを具備する、コンピュータによって読み取り可能な媒体。
【請求項１４】
前記ネットワークデバイスに向けられた第２のパケットを送信するための機械によって実行可能な命令であって、前記送信された第２のパケットは、前記決定されたＩＰアドレスと前記ネットワークデバイスに通信されるべき前記情報とを含む機械によって実行可能な命令、をさらに具体化した請求項１３に記載のコンピュータによって読み取り可能な媒体。
【請求項１５】
前記予め定義されたエアリンクアドレスに対応するＩＰアドレスを前記決定することは、予め定義されたエアリンクアドレスをネットワークデバイスのＩＰアドレスにマッピングする情報を含む請求項１４に記載のコンピュータによって読み取り可能な媒体。
【請求項１６】
前記予め定義されたエアリンクアドレスに対応するＩＰアドレスを決定する前記ステップは、受信された前記第１のパケットを送信した前記アクセス端末を識別する情報の関数として実行され、予め定義されたエアリンクアドレスをＩＰアドレスにマッピングする前記情報は、予め定義されたエアリンクアドレスを前記予め定義されたアドレスを含んでいた前記パケットのソースに依存して異なるＩＰアドレスにマッピングする情報を含む請求項１５に記載のコンピュータによって読み取り可能な媒体。
【請求項１７】
前記予め定義されたアドレスは、インターネットアタッチメントポイントアドレスである請求項１６に記載のコンピュータによって読み取り可能な媒体。
【請求項１８】
アクセスポイントを動作させる方法であって、
ネットワークデバイスとの通信リンクから、アクセス端末に通信されるべき情報と前記情報のソースを示すネットワークデバイスＩＰアドレスとを含む第１のパケットを受信することと、
前記ネットワークデバイスアドレスに対応する予め定義されたエアリンクアドレスを予め定義されたエアリンクアドレスとＩＰアドレスとの間でマッピングする情報から決定することであって、前記予め定義されたエアリンクアドレスは、前記ＩＰアドレスよりも短いこと、とを具備する、方法。
【請求項１９】
エアリンクを通じて第２のパケットを前記アクセス端末に送信することであって、前記送信された第２のパケットは、前記決定された予め定義されたエアリンクアドレスと前記アクセス端末に通信されるべき前記情報とを含むことをさらに具備する請求項１８に記載の方法。
【請求項２０】
前記予め定義されたエアリンクアドレスに対応するＩＰアドレスを前記決定することは、ネットワークデバイスのＩＰアドレスを予め決められたエアリンクアドレスにマッピングする情報を含む格納された情報にアクセスすることを含む請求項１９に記載の方法。
【請求項２１】
前記格納された情報は、同じ型であるが異なるＩＰアドレスを有する複数のネットワークデバイスを同じ予め決められたエアリンクアドレスにマッピングすることを示す請求項２０に記載の方法。
【請求項２２】
前記予め定義されたアドレスは、インターネットアタッチメントポイントアドレスである請求項２１に記載の方法。
【請求項２３】
前記予め定義されたアドレスは、セッションコントローラアドレスである請求項２１に記載の方法。
【請求項２４】
前記予め定義されたエアリンクアドレスは、予約されたアドレスであり、前記予め定義されたエアリンクアドレスのうちの少なくとも１つは、エアリンクを通じて前記アクセス端末によって用いられるその他のあらゆるアドレスと同じ短さであるか又はより短い請求項２１に方法。
【請求項２５】
装置であって、
ネットワークデバイスとの通信リンクから、アクセス端末に通信されるべき情報と前記情報のソースを示すネットワークデバイスＩＰアドレスとを含む第１のパケットを受信し、
前記ネットワークデバイスアドレスに対応する予め定義されたエアリンクアドレスを予め定義されたエアリンクアドレスとＩＰアドレスとの間でマッピングする情報から決定するように構成されたプロセッサであって、前記予め定義されたエアリンクアドレスは、前記ＩＰアドレスよりも短いプロセッサ、を具備する、装置。
【請求項２６】
前記プロセッサは、
エアリンクを通じて第２のパケットを前記アクセス端末に送信するようにさらに構成され、前記送信された第２のパケットは、前記決定された予め定義されたエアリンクアドレスと前記アクセス端末に通信されるべき前記情報とを含む請求項２５に記載の装置。
【請求項２７】
前記プロセッサは、前記予め定義されたエアリンクアドレスに対応するＩＰアドレスを決定する際に、ネットワークデバイスのＩＰアドレスを予め決められたエアリンクアドレスにマッピングする情報を含む格納された情報にアクセスするようにさらに構成される請求項２６に記載の装置。
【請求項２８】
前記格納された情報は、同じ型であるが異なるＩＰアドレスを有する複数のネットワークデバイスを同じ予め決められたエアリンクアドレスにマッピングすることを示す請求項２７に記載の装置。
【請求項２９】
前記予め定義されたアドレスは、インターネットアタッチメントポイントアドレスである請求項２８に記載の装置。
【請求項３０】
その他の通信デバイスと通信する方法を実装するためにアクセスポイントを動作させるための機械によって実行可能な命令を具体化したコンピュータによって読み取り可能な媒体であって、前記方法は、
ネットワークデバイスとの通信リンクから、アクセス端末に通信されるべき情報と前記情報のソースを示すネットワークデバイスＩＰアドレスとを含む第１のパケットを受信することと、
前記ネットワークデバイスアドレスに対応する予め定義されたエアリンクアドレスを予め定義されたエアリンクアドレスとＩＰアドレスとの間でマッピングする情報から決定することであって、前記予め定義されたエアリンクアドレスは、前記ＩＰアドレスよりも短いこと、とを具備する、コンピュータによって読み取り可能な媒体。
【請求項３１】
エアリンクを通じて第２のパケットを前記アクセス端末に送信するための機械によって実行可能な命令であって、前記送信された第２のパケットは、前記決定された予め定義されたエアリンクアドレスと前記アクセス端末に通信されるべき前記情報とを含む機械によって実行可能な命令、をさらに具体化した請求項３０に記載のコンピュータによって読み取り可能な媒体。
【請求項３２】
前記予め定義されたエアリンクアドレスに対応するＩＰアドレスを前記決定することは、ネットワークデバイスのＩＰアドレスを予め決められたエアリンクアドレスにマッピングする情報を含む格納された情報にアクセスすることを含む請求項３１に記載のコンピュータによって読み取り可能な媒体。
【請求項３３】
前記格納された情報は、同じ型であるが異なるＩＰアドレスを有する複数のネットワークデバイスを同じ予め決められたエアリンクアドレスにマッピングすることを示す請求項３２に記載のコンピュータによって読み取り可能な媒体。
【請求項３４】
前記予め定義されたアドレスは、インターネットアタッチメントポイントアドレスである請求項３３に記載のコンピュータによって読み取り可能な媒体。
【請求項３５】
アクセスポイントであって、
アクセス端末から通信された第１のパケットをエアリンクから受信するための無線受信機であって、前記第１のパケットは、ネットワークデバイスに通信されるべき情報と前記ネットワークデバイスに対応する予め定義されたエアリンクアドレスとを含み、前記ネットワークデバイスは、前記予め決められたエアリンクアドレスよりも長いＩＰアドレスを有する無線受信機と、
前記予め定義されたエアリンクアドレスに対応するＩＰアドレスを予め定義されたエアリンクアドレスとＩＰアドレスとの間でマッピングする情報から決定するためのＩＰアドレス決定モジュールと、を具備する、アクセスポイント。
【請求項３６】
前記ネットワークデバイスに向けられた第２のパケットを送信するための送信機を含むネットワークインタフェースであって、前記送信された第２のパケットは、前記決定されたＩＰアドレスと前記ネットワークデバイスに通信されるべき前記情報とを含むネットワークインタフェース、をさらに具備する請求項３５に記載のアクセスポイント。
【請求項３７】
前記ＩＰアドレス決定モジュールに結合されたデータベースであって、予め定義されたエアリンクアドレスとネットワークデバイスのＩＰアドレスとの間でマッピングする情報を含むデータベース、をさらに具備する請求項３６に記載のアクセスポイント。
【請求項３８】
受信されたパケットを送信した前記アクセス端末を識別する情報を前記ＩＰアドレス決定モジュールに提供するためのアクセス端末識別モジュールであって、前記ＩＰアドレス決定モジュールは、前記予め定義されたエアリンクアドレスに対応するＩＰアドレスを前記アクセス端末を識別する前記情報の関数として決定するアクセス端末識別モジュール、をさらに具備し、
予め定義されたエアリンクアドレスをＩＰアドレスにマッピングする前記情報は、予め定義されたエアリンクアドレスを前記予め定義されたアドレスと前記情報とを含んでいた前記パケットのソースに依存して異なるＩＰアドレスにマッピングする情報を含む請求項３７に記載のアクセスポイント。
【請求項３９】
前記予め定義されたアドレスは、インターネットアタッチメントポイントアドレスである請求項３８に記載のアクセスポイント。
【請求項４０】
前記予め定義されたアドレスは、セッションコントローラアドレスである請求項３８に記載のアクセスポイント。
【請求項４１】
前記予め定義されたエアリンクアドレスは、予約されたアドレスであり、前記データベース内の前記予め定義されたエアリンクアドレスのうちの少なくとも１つは、エアリンクを通じて前記アクセス端末によって用いられるその他のあらゆるアドレスと同じ短さであるか又はより短い請求項３８に記載のアクセスポイント。
【請求項４２】
前記ネットワークインタフェースは、ネットワークデバイスとの通信リンクから、アクセス端末に通信されるべき情報と前記情報のソースを示すネットワークデバイスＩＰアドレスとを含む第１のパケットを受信するための受信機モジュールをさらに含み、
前記アクセスポイントは、前記ネットワークデバイスアドレスに対応する予め定義されたエアリンクアドレスを予め定義されたエアリンクアドレスとＩＰアドレスとの間でマッピングする前記情報から決定するためのエアリンクアドレス決定モジュールをさらに含み、前記予め定義されたエアリンクアドレスは、前記ＩＰアドレスよりも短い請求項３６に記載のアクセスポイント。
【請求項４３】
エアリンクを通じて送信されるべきパケットを生成するためのエアリンクパケット生成モジュールであって、前記生成されたパケットは、前記ネットワークデバイスに対応する前記予め決められたエアリンクアドレスを含むエアリンクパケット生成モジュールと、
前記生成されたパケットをエアリンクを通じてアクセス端末に送信するための無線送信機モジュールと、をさらに具備する請求項４２に記載のアクセスポイント。
【請求項４４】
前記エアリンクアドレス決定モジュールに結合されたデータベースであって、予め定義されたエアリンクアドレスとネットワークデバイスのＩＰアドレスとの間でマッピングする前記情報を含むデータベース、をさらに具備する請求項４３に記載のアクセスポイント。
【請求項４５】
前記データベースは、複数のネットワークデバイスの異なるＩＰアドレスを同じ予め決められたエアリンクアドレスにマッピングする格納された情報を含む請求項３６に記載のアクセスポイント。
【請求項４６】
前記予め定義されたアドレスは、インターネットアタッチメントポイントアドレス及びセッションコントローラアドレスのうちの１つである請求項４５に記載のアクセスポイント。
【請求項４７】
アクセスポイントであって、
アクセス端末から通信された第１のパケットをエアリンクから受信するための無線受信機手段であって、前記第１のパケットは、ネットワークデバイスに通信されるべき情報と前記ネットワークデバイスに対応する予め定義されたエアリンクアドレスとを含み、前記ネットワークデバイスは、前記予め決められたエアリンクアドレスよりも長いＩＰアドレスを有する無線受信機手段と、
前記予め定義されたエアリンクアドレスに対応するＩＰアドレスを予め定義されたエアリンクアドレスとＩＰアドレスとの間でマッピングする情報から決定するための手段と、を具備する、アクセスポイント。
【請求項４８】
前記ネットワークデバイスに向けられた第２のパケットを送信するための手段を含むネットワークインタフェース手段であって、前記送信された第２のパケットは、前記決定されたＩＰアドレスと前記ネットワークデバイスに通信されるべき前記情報とを含むネットワークインタフェース手段、をさらに具備する請求項４７に記載のアクセスポイント。
【請求項４９】
決定するための前記手段に結合されたデータベース手段であって、予め定義されたエアリンクアドレスとネットワークデバイスのＩＰアドレスとの間でマッピングする情報を含むデータベース手段、をさらに具備する請求項４８に記載のアクセスポイント。
【請求項５０】
前記ネットワークインタフェース手段は、アクセス端末に通信されるべき情報と前記情報のソースを示すネットワークデバイスＩＰアドレスとを含む第１のパケットを、ネットワークデバイスとの通信リンクから受信するための手段をさらに含み、
前記アクセス端末は、
前記ネットワークデバイスアドレスに対応する予め定義されたエアリンクアドレスを予め定義されたエアリンクアドレスとＩＰアドレスとの間でマッピングする前記情報から決定するための手段であって、前記予め定義されたエアリンクアドレスは、前記ＩＰアドレスよりも短い請求項４８に記載のアクセスポイント。
【請求項５１】
前記データベース手段は、複数のネットワークデバイスの異なるＩＰアドレスを同じ予め決められたエアリンクアドレスにマッピングする格納された情報を含む請求項４８に記載のアクセスポイント。
【請求項５２】
情報を通信するためにアクセス端末を動作させる方法であって、
パケットを生成することであって、前記パケットは、ネットワークデバイスに対応する予め決められたエアリンクアドレスを含み、前記ネットワークデバイスは、前記予め決められたエアリンクアドレスよりも長いＩＰアドレスと前記ネットワークデバイスに通信されるべき情報とを含むことと、
前記生成されたパケットをエアリンクを通じてアクセスポイントに送信すること、とを具備する、方法。
【請求項５３】
前記パケットを生成することは、前記情報が通信されるべき前記ネットワークデバイスに対応する前記アドレスを一組の格納された予め定義されたエアリンクアドレスから選択することを含む請求項５２に記載の方法。
【請求項５４】
前記パケットを生成することは、前記予め決められたエアリンクアドレスをパケットヘッダーの行先フィールドに入れることを含む請求項５３に記載の方法。
【請求項５５】
前記パケットは、ＭＡＣパケットである請求項５４に記載の方法。
【請求項５６】
前記予め定義されたエアリンクアドレスは、予約されたアドレスであり、前記格納された組内の前記予め定義されたエアリンクアドレスのうちの少なくとも１つは、エアリンクを通じて前記アクセス端末によって用いられるその他のあらゆるアドレスよりも短い請求項５３に記載の方法。
【請求項５７】
前記ネットワークデバイスは、前記ネットワークへのアクセスを入手するために前記アクセス端末によって用いられるインターネットアタッチメントポイントである請求項５３に記載の方法。
【請求項５８】
前記ネットワークデバイスへの前記アクセス端末によって用いられる前記予め定義されたエアリンクアドレスは、その他のネットワークデバイスと通信するためにその他のアクセス端末によって用いられる前記予め定義されたエアリンクアドレスと同じであり、前記生成されたパケットは、前記パケット内の前記情報が通信されるべき前記ネットワークデバイスの前記ＩＰアドレスを決定するために前記予め定義されたエアリンクアドレスと組み合わせて受信デバイスによって用いられるアクセス端末識別子を含む請求項５３に記載の方法。
【請求項５９】
同じ予め定義されたアドレスを用いて異なるアクセス端末によってアクセスされる前記ネットワークデバイスは、同じ型のネットワークデバイスである請求項５８に記載の方法。
【請求項６０】
前記ネットワークデバイスは、インターネットアタッチメントポイントであり、
前記インターネットアタッチメントポイントは、アクセス端末所在位置の変化に起因して前記アクセス端末に関して変わり、前記インターネットアタッチメントポイントにアクセスするために前記アクセス端末によって用いられる前記予約されたアドレスは、引き続き同じであるが、前記予約されたアドレスと前記インターネットアタッチメントポイントの前記ＩＰアドレスとの間でのマッピングは、前記アクセス端末がインターネットアタッチメントポイントを変更するときに変わる請求項５９に記載の方法。
【請求項６１】
前記ネットワークデバイスは、前記アクセス端末が参加者である通信セッションを制御するために用いられるセッションコントローラである請求項５５に記載の方法。
【請求項６２】
装置であって、
パケットを生成し、
前記生成されたパケットをエアリンクを通じてアクセスポイントに送信するように構成されたプロセッサであって、前記パケットは、ネットワークデバイスに対応する予め決められたエアリンクアドレスを含み、前記ネットワークデバイスは、前記予め決められたエアリンクアドレスよりも長いＩＰアドレスと前記ネットワークデバイスに通信されるべき情報とを有するプロセッサ、を具備する、装置。
【請求項６３】
前記プロセッサは、前記パケットを生成する際に、前記情報が通信されるべき前記ネットワークデバイスに対応する前記アドレスを、一組の格納された予め定義されたエアリンクアドレスから選択するようにさらに構成される請求項６２に記載の装置。
【請求項６４】
前記プロセッサは、前記パケットを生成する際に、前記予め決められたエアリンクアドレスをパケットヘッダーの行先フィールドに入れるようにさらに構成される含む請求項６３に記載の装置。
【請求項６５】
前記パケットは、ＭＡＣパケットである請求項６４に記載の装置。
【請求項６６】
前記ネットワークデバイスは、前記プロセッサを含むアクセス端末が参加者である通信セッションを制御するために用いられるセッションコントローラである請求項６５に記載の装置
【請求項６７】
情報を通信する方法を実装するためにアクセス端末を動作させるための機械によって実行可能な命令を具体化したコンピュータによって読み取り可能な媒体であって、前記方法は、
パケットを生成することであって、前記パケットは、ネットワークデバイスに対応する予め決められたエアリンクアドレスを含み、前記ネットワークデバイスは、前記予め決められたエアリンクアドレスよりも長いＩＰアドレスと前記ネットワークデバイスに通信されるべき情報とを有することと、
前記生成されたパケットをエアリンクを通じてアクセスポイントに送信すること、とを具備する、コンピュータによって読み取り可能な媒体。
【請求項６８】
前記パケットを生成することは、一組の格納された予め定義されたエアリンクアドレスから、前記情報が通信されるべき前記ネットワークデバイスに対応する前記アドレスを選択することを含む請求項６７に記載のコンピュータによって読み取り可能な媒体。
【請求項６９】
前記パケットを生成することは、前記予め決められたエアリンクアドレスをパケットヘッダーの行先フィールドに入れることを含む請求項６８に記載のコンピュータによって読み取り可能な媒体。
【請求項７０】
前記パケットは、ＭＡＣパケットである請求項６９に記載のコンピュータによって読み取り可能な媒体。
【請求項７１】
前記ネットワークデバイスは、前記アクセス端末が参加者である通信セッションを制御するために用いられるセッションコントローラである請求項７０に記載のコンピュータによって読み取り可能な媒体。
【請求項７２】
アクセス端末を動作させる方法であって、
パケットを受信することであって、前記パケットは、ネットワークデバイスに対応する予め決められたエアリンクアドレスを含み、前記ネットワークデバイスは、前記予め決められたエアリンクアドレスよりも長いＩＰアドレスと前記アクセス端末に通信されるべき情報とを有することと、
格納されたアドレス情報及び前記受信されたパケットに含まれる前記予め決められたエアリンクアドレスから、前記受信されたパケットに含まれる情報のソースである前記ネットワークデバイスを決定すること、とを具備する、方法。
【請求項７３】
いずれのネットワークデバイスが前記受信されたパケットに含まれる前記情報のソースであるか決定されるのに依存する方法で前記受信されたパケットを処理することであって、前記処理することは、前記決定されたネットワークデバイスから受信されたメッセージを処理する前記アクセス端末内のソフトウェアモジュールに前記情報を向けることを含むことをさらに具備する請求項７２に記載の方法。
【請求項７４】
前記受信されたパケットは、前記予め決められたエアリンクアドレスを前記受信されたパケットに含まれるパケットヘッダーのソースフィールドに含め、
前記パケットは、ＭＡＣパケットである請求項７３に記載の方法。
【請求項７５】
前記予め定義されたエアリンクアドレスは、予約されたアドレスであり、前記予め定義されたエアリンクアドレスは、エアリンクを通じて前記アクセス端末によって用いられるその他のあらゆるアドレスと同じ短さであるか又はより短い請求項７３に記載の方法。
【請求項７６】
前記ネットワークデバイスは、前記ネットワークへのアクセスを入手するために前記アクセス端末によって用いられるインターネットアタッチメントポイントである請求項７３に記載の方法。
【請求項７７】
前記ネットワークデバイスと通信するために前記アクセス端末によって用いられる前記予め定義されたエアリンクアドレスは、その他のネットワークデバイスと通信するためにその他のアクセス端末によって用いられる前記予め定義されたエアリンクアドレスと同じである請求項７３に記載の方法。
【請求項７８】
前記ネットワークデバイス及び前記その他のネットワークデバイスは、インターネットアクセスポイントである請求項７７に記載の方法。
【請求項７９】
前記ネットワークデバイスは、前記アクセス端末が参加者である通信セッションを制御するために用いられるセッションコントローラである請求項７４に記載の方法。
【請求項８０】
装置であって、
アクセス端末において用いるためのプロセッサであって、
パケットを受信し、
格納されたアドレス情報及び前記受信されたパケットに含まれる前記予め決められたエアリンクアドレスから、前記受信されたパケットに含まれる情報のソースである前記ネットワークデバイスを決定するように構成され、前記パケットは、ネットワークデバイスに対応する予め決められたエアリンクアドレスを含み、前記ネットワークデバイスは、前記予め決められたエアリンクアドレスよりも長いＩＰアドレスと前記アクセス端末に通信されるべき情報とを有するプロセッサ、を具備する、装置。
【請求項８１】
前記プロセッサは、
いずれのネットワークデバイスが前記受信されたパケットに含まれる前記情報のソースであるか決定されるのに依存する方法で前記受信されたパケットを処理するようにさらに構成され、前記処理することは、前記決定されたネットワークデバイスから受信されたメッセージを処理する前記アクセス端末内のソフトウェアモジュールに前記情報を向けることを含む請求項１に記載の装置。
【請求項８２】
前記受信されたパケットは、前記予め決められたエアリンクアドレスを前記受信されたパケットに含まれるパケットヘッダーのソースフィールドに含め、
前記パケットは、ＭＡＣパケットである請求項８１に記載の装置。
【請求項８３】
前記予め定義されたエアリンクアドレスは、予約されたアドレスであり、前記予め定義されたエアリンクアドレスは、エアリンクを通じて前記アクセス端末によって用いられるその他のあらゆるアドレスと同じ短さであるか又はより短い請求項８１に記載の装置。
【請求項８４】
前記ネットワークデバイスと通信するために前記アクセス端末によって用いられる前記予め定義されたエアリンクアドレスは、その他のネットワークデバイスと通信するためにその他のアクセス端末によって用いられる前記予め定義されたエアリンクアドレスと同じである請求項８１に記載の装置。
【請求項８５】
情報を通信する方法を実装するためにアクセス端末を動作させるための機械によって実行可能な命令を具体化したコンピュータによって読み取り可能な媒体であって、前記方法は、
パケットを生成することであって、前記パケットは、ネットワークデバイスに対応する予め決められたエアリンクアドレスを含み、前記ネットワークデバイスは、前記予め決められたエアリンクアドレスよりも長いＩＰアドレスと前記アクセス端末に通信されるべき情報とを有することと、
格納されたアドレス情報及び前記受信されたパケットに含まれる前記予め決められたエアリンクアドレスから、前記受信されたパケットに含まれる情報のソースである前記ネットワークデバイスを決定すること、とを具備する、コンピュータによって読み取り可能な媒体。
【請求項８６】
いずれのネットワークデバイスが前記受信されたパケットに含まれる前記情報のソースであるか決定されるのに依存する方法で前記受信されたパケットを処理するための機械によって実行可能な命令であって、前記処理することは、前記決定されたネットワークデバイスから受信されたメッセージを処理する前記アクセス端末内のソフトウェアモジュールに前記情報を向けることを含む機械によって実行可能な命令、をさらに具体化した請求項８５に記載のコンピュータによって読み取り可能な媒体。
【請求項８７】
前記受信されたパケットは、前記予め決められたエアリンクアドレスを前記受信されたパケットに含まれるパケットヘッダーのソースフィールドに含め、
前記パケットは、ＭＡＣパケットである請求項８６に記載のコンピュータによって読み取り可能な媒体。
【請求項８８】
前記予め定義されたエアリンクアドレスは、予約されたアドレスであり、前記予め定義されたエアリンクアドレスは、エアリンクを通じて前記アクセス端末によって用いられるその他のあらゆるアドレスと同じ短さであるか又はより短い請求項８６に記載のコンピュータによって読み取り可能な媒体。
【請求項８９】
前記ネットワークデバイスと通信するために前記アクセス端末によって用いられる前記予め定義されたエアリンクアドレスは、その他のネットワークデバイスと通信するためにその他のアクセス端末によって用いられる前記予め定義されたエアリンクアドレスと同じである請求項８６に記載のコンピュータによって読み取り可能な媒体。
【請求項９０】
アクセス端末であって、
パケットを生成するためのパケット生成モジュールであって、前記パケットは、ネットワークデバイスに通信されるべき情報と前記ネットワークデバイスに対応する予め決められたエアリンクアドレスとを含み、前記ネットワークデバイスは、前記予め決められたエアリンクアドレスよりも長いＩＰアドレスを有するパケット生成モジュールと、
前記生成されたパケットをエアリンクを通じてアクセスポイントに送信するための無線送信機と、を具備する、アクセス端末。
【請求項９１】
情報を通信することができるネットワークデバイスに対応する一組の格納された予め定義されたエアリンクアドレスであって、前記ネットワークデバイスのうちの１つは、前記ネットワークデバイスである一組の格納された予め定義されたエアリンクアドレスと、
前記ネットワークデバイスに対応する前記予め決められたエアリンクアドレスを格納された予め定義されたエアリンクアドレスの前記組から選択し、前記選択されたアドレスを前記パケット生成モジュールに供給するためのアドレス決定モジュールと、をさらに具備する請求項９０に記載のアクセス端末。
【請求項９２】
前記生成されたパケットは、ＭＡＣパケットである請求項９１に記載のアクセス端末。
【請求項９３】
前記予め定義されたエアリンクアドレスは、予約されたアドレスであり、前記格納された組内の前記予め定義されたエアリンクアドレスのうちの少なくとも１つは、エアリンクを通じて前記アクセス端末によって用いられるその他のあらゆるアドレスよりも短い請求項９１に記載のアクセス端末。
【請求項９４】
前記ネットワークデバイスへの前記アクセス端末によって用いられる前記予め定義されたエアリンクアドレスは、その他のネットワークデバイスと通信するためにその他のアクセス端末によって用いられる前記予め定義されたエアリンクアドレスと同じであり、前記生成されたパケットは、前記パケット内の前記情報が通信されるべき前記ネットワークデバイスの前記ＩＰアドレスを決定するために前記予め定義されたエアリンクアドレスと組み合わせて受信デバイスによって用いられるアクセス端末識別子を含む請求項９１に記載のアクセス端末。
【請求項９５】
前記その他のネットワークデバイスは、前記ネットワークデバイスと同じ型のネットワークデバイスである請求項９４に記載のアクセス端末。
【請求項９６】
前記ネットワークデバイスは、インターネットアタッチメントポイントであり、
前記インターネットアタッチメントポイントは、アクセス端末所在位置の変化に起因して前記アクセス端末に関して変わり、前記インターネットアタッチメントポイントと通信するために前記アクセス端末によって用いられる前記予約されたアドレスは、引き続き同じであるが、前記予約されたアドレスと前記インターネットアタッチメントポイントの前記ＩＰアドレスとの間でのマッピングは、前記アクセス端末がインターネットアタッチメントポイントを変更するきときに変わる請求項９５に記載のアクセス端末。
【請求項９７】
パケットを受信するための受信機モジュールであって、前記受信されたパケットは、通信ネットワークデバイスに対応する受信された予め決められたエアリンクアドレスを含む受信機モジュールと、
一組の格納された予め定義されたエアリンクアドレス及び前記受信されたパケットに含まれる前記予め決められたエアリンクアドレスから、前記受信されたパケットに含まれる情報のソースである前記ネットワークデバイスを決定するためのデバイス識別モジュールと、をさらに具備する請求項９０に記載のアクセス端末。
【請求項９８】
異なるネットワークデバイスに対応する複数のソフトウェアモジュールであって、前記複数のソフトウェアモジュールの各々は、前記ソフトウェアモジュールが対応するネットワークデバイスからのメッセージを処理する複数のソフトウェアモジュールと、
いずれのネットワークデバイスが前記受信されたパケットに含まれる前記情報のソースであるか決定されるのに依存する方法で前記受信されたパケットを処理するためのパケット処理モジュールであって、前記処理することは、前記決定されたネットワークデバイスから受信されたメッセージを処理する前記アクセス端末内の前記ソフトウェアモジュールのうちの１つに前記情報を向けることを含むパケット処理モジュールと、をさらに具備する請求項９７に記載のアクセス端末。
【請求項９９】
前記受信されたパケットは、前記予め決められたエアリンクアドレスを前記受信されたパケットに含まれるパケットヘッダーのソースフィールドに含め、
前記パケットは、ＭＡＣパケットである請求項９８に記載のアクセス端末。
【請求項１００】
アクセス端末であって、
パケットを生成するためのパケット生成手段であって、前記パケットは、ネットワークデバイスに通信されるべき情報と前記ネットワークデバイスに対応する予め決められたエアリンクアドレスとを含み、前記ネットワークデバイスは、前記予め決められたエアリンクアドレスよりも長いＩＰアドレスを有するパケット生成手段と、
前記生成されたパケットをエアリンクを通じてアクセスポイントに送信するための手段と、を具備する、アクセス端末。
【請求項１０１】
前記ネットワークデバイスに対応する予め決められたエアリンクアドレスを一組の格納された予め定義されたエアリンクアドレスから選択し、前記選択されたアドレスを前記パケット生成手段に供給するための手段をさらに具備する請求項１００に記載のアクセス端末。
【請求項１０２】
前記生成されたパケットは、ＭＡＣパケットである請求項１０１に記載のアクセス端末。
【請求項１０３】
前記予め定義されたエアリンクアドレスは、予約されたアドレスであり、前記格納された組内の前記予め定義されたエアリンクアドレスのうちの少なくとも１つは、エアリンクを通じて前記アクセス端末によって用いられるその他のあらゆるアドレスよりも短い請求項１０１に記載のアクセス端末。
【請求項１０４】
パケットを受信するための手段であって、前記受信されたパケットは、通信ネットワークデバイスに対応する受信された予め決められたエアリンクアドレスを含む手段と、
一組の格納された予め定義されたエアリンクアドレス及び前記受信されたパケットに含まれる前記予め決められたエアリンクアドレスから、前記受信されたパケットに含まれる情報のソースである前記ネットワークデバイスを決定するための手段と、をさらに具備する請求項１００に記載のアクセス端末。
【発明の詳細な説明】
【技術分野】
【０００１】
関連出願
本特許出願は、各々が本明細書において参照されることによって明示で本明細書に組み入れられており、 “A METHOD AND APPARATUS FOR L2TP TUNNELING”（Ｌ２ＴＰトンネリングに関する方法及び装置）という題名を有する米国仮特許出願一連番号６０／８１２，０１１（出願日：２００６年６月７日）の利益及び“A METHOD AND APPARATUS FOR ADDRESSING MULTIPLE ACCESS POINTS”（複数のアクセスポイントをアドレッシングするための方法及び装置）という題名を有する米国仮特許出願一連番号６０／８１２，０１２（出願日：２００６年６月７日）の利益を主張するものである。
【０００２】
本発明は、通信に関する方法及び装置を対象とするものである。本発明は、特に、パケットのルーティングに関連する方法及び装置を対象とするものである。
【背景技術】
【０００３】
無線通信システムは、アクセス端末、例えばモバイルまたはその他のエンドノードデバイスに加えて、複数のアクセスポイント（ＡＰ）及び／又はその他のネットワーク要素をしばしば含む。多くの場合においては、アクセス端末は、通常は無線通信リンクを介してアクセスポイントと通信し、ネットワーク内のその他の要素、例えばＡＰ、は、一般的には非エアリンク、例えばファイバー、ケーブル又はワイヤリンク、を介して通信する。エアリンクの場合は、帯域幅が貴重な制限された資源である。従って、エアリンクを通じての通信は、過度のオーバーヘッドなしで効率的な形で行われることが望ましい。
【０００４】
アクセスポイント間及び／又はその他のネットワークデバイスとの間における通信リンクは、帯域幅の観点からは、アクセス端末とアクセスポイントとの間のエアリンクよりも制限度が低いことがしばしばある。従って、エアリンクを通じてよりもバックホールリンクを通じてのほうがアドレス長及び／又はその他の情報に関してより多くのオーバーヘッドを受け入れ可能である。
【０００５】
ＩＰ（インターネットプロトコル）アドレスは長年にわたってネットワークにおいて成功裏に用いられてきている一方で、非常に多くのビット数を含む傾向がある。エアリンクを通じての通信に関しては、エアリンクを通じてより短いアドレスを用いることが可能であることが望ましい。しかしながら、エアリンクを通じて用いられるアドレスの変更がその他のリンク、例えばバックホールリンク、を通じてのＩＰアドレスの使用を妨げないことが望ましい。
【発明の概要】
【０００６】
アクセス端末（ＡＴ）とアクセスポイント（ＡＰ）を通じてＡＴと交信するデバイスとの間における通信に関する方法及び装置が説明される。一特長により、交信デバイスは、用いられるアドレスの対象となる通信、例えばＭＡＣ（メディアアクセス制御）パケット、のソースに基づいて解釈される特定のアドレスを割り当てることができる。前記アドレスは、送信者のアイデンティティを考慮に入れずに解釈及び／又は用いることができるその他のアドレスとは異なる型であると解釈することができる。
【０００７】
様々な実施形態の一特長により、インターネットアタッチメントポイント（ＩＡＰ）は、エアリンクＩＡＰアドレスと呼ばれるアドレス値によって識別される。この値は、１つ以上のＡＴに関して同じであるが、該ＩＡＰアドレスを受信中のＡＰにおいては、前記ＩＡＰアドレスを含むパケットを送信したＡＴに対応する情報に基づいて解釈される。
【０００８】
従って、ＩＡＰアドレスは、前記ＩＡＰアドレスを含むパケットを送信中のＡＴに関するインターネットアタッチメントポイントであるＡＰを識別するために前記ＡＴによって用いることができる特別なアドレス型として実装することができる。様々な実施形態においては、前記ＩＡＰアドレスは非常に短く、例えば３以下のビットである。幾つかの実施形態においては、ＩＡＰアドレスは、前記アドレスがＩＡＰ型であることを示すアドレス型インジケータとして実装される。該場合においては、アドレスの型を示すために用いられるビットを超えるビットは必要ない。
【０００９】
説明される型のＩＡＰアドレスを用いることによって、ＩＡＰの全ＩＰアドレスがエアリンクを通じて送信される実施形態とは反対に、モバイルデバイスが自己のＩＡＰと通信することを試みているときに相対的に短いアドレスをエアリンクを通じて送信することができる。
【００１０】
アップリンク信号の場合は、ＩＡＰアドレスを有するパケット、例えばｍａｃパケット、を受信中の前記ＡＰは、エアリンクでないリンク、例えばバックホールリンク、を通じての通信に関して用いるために長アドレスを前記ＩＡＰのアドレスにマッピングする。このマッピングは、前記ＡＴと交信中の現在のＩＡＰのアドレスを含む、前記パケットを送信中の前記ＡＴに対応する一組の情報、アクティブＡＰセット、にアクセスすることによって行うことができる。従って、前記短いＩＡＰアドレスを、前記パケットを送信した前記ＡＴと交信中の前記ＩＡＰの長アドレス、例えば全ＩＰアドレス、にマッピングすることができる。次に、ＩＡＰサーバーの決定されたアドレスが、前記受信されたパケットのペイロードと結合され、前記ＡＴに対応する前記ＩＡＰに送信される。従って、前記ＩＡＰアドレスの同じ値を異なるＡＴによって用いることができる一方で、前記異なるＡＴに対応する情報の組は異なるＩＡＰアドレスを示すため、前記マッピングは異なることができる。
【００１１】
異なるＡＴに対応する前記ＩＡＰアドレス情報は、ネットワーク内の１つ以上のデバイスからＡＰに通信された情報に基づいて更新することができる。例えば、前記情報は、各ＡＴに関して維持されており、ＡＴと交信中のＡＰに通信されるか又は該ＡＰによってアクセス可能である一組のアクティブＡＰ情報の一部として通信することができる。代替として、ＩＡＰは、所定の時間においていずれのＡＴと交信中であるかに関する情報をＡＰに提供することができる。さらに加えて又は代替として、ＡＴは、特定の時点においてＡＰと交信中のＩＡＰの全アドレスを、エアリンクを通じて送信されるメッセージを介して現在の交信ＡＰに示すことができる。前記ＩＡＰアドレスは、新しいＩＡＰアドレスが供給されるか又は前記ＡＴが前記ＡＰを用いるのを停止するまで格納されて用いられる。
【００１２】
この方法により、ＡＴ及びＡＰは、前記ＡＴに対応するＩＡＰを識別する上で、交信ＡＰとＡＴとの間におけるエアリンクを通じての通信に関して長アドレス、例えば行先デバイスの全ＩＰアドレス、が用いられる場合に要求されることになるよりも少ない数のビットを用いてエアリンクを通じて通信することができる。
【００１３】
アクセスポイントを動作させる典型的方法は、アクセス端末から通信された第１のパケットをエアリンクから受信することであって、前記第１のパケットは、ネットワークデバイスに通信されるべき情報と前記ネットワークデバイスに対応する予め定義されたエアリンクアドレスとを含み、前記ネットワークデバイスは、前記予め決められたエアリンクアドレスよりも長いＩＰアドレスを有することと、前記予め定義されたエアリンクアドレスに対応するＩＰアドレスを予め定義されたエアリンクアドレスとＩＰアドレスとの間でマッピングする情報から決定すること、とを具備する。アクセスポイントを動作させる他の典型的方法は、ネットワークデバイスとの通信リンクから、アクセス端末に通信されるべき情報と前記情報のソースを示すネットワークデバイスＩＰアドレスとを含む第１のパケットを受信することと、前記ネットワークデバイスアドレスに対応する予め定義されたエアリンクアドレスを予め定義されたエアリンクアドレスとＩＰアドレスとの間でマッピングする情報から決定することであって、前記予め定義されたエアリンクアドレスは、前記ＩＰアドレスよりも短いこと、とを具備する。典型的アクセスポイントは、アクセス端末から通信された第１のパケットをエアリンクから受信するための無線受信機であって、前記第１のパケットは、ネットワークデバイスに通信されるべき情報と前記ネットワークデバイスに対応する予め定義されたエアリンクアドレスとを含み、前記ネットワークデバイスは、前記予め決められたエアリンクアドレスよりも長いＩＰアドレスを有する無線受信機と、前記予め定義されたエアリンクアドレスに対応するＩＰアドレスを予め定義されたエアリンクアドレスとＩＰアドレスとの間でマッピングする情報から決定するためのＩＰアドレス決定モジュールと、を含む。
【００１４】
情報を通信するためにアクセス端末を動作させる典型的方法は、パケットを生成することであって、前記パケットは、ネットワークデバイスに対応する予め決められたエアリンクアドレスを含み、前記ネットワークデバイスは、前記予め決められたエアリンクアドレスよりも長いＩＰアドレスと前記ネットワークデバイスに通信されるべき情報とを有することと、前記生成されたパケットをエアリンクを通じてアクセスポイントに送信すること、とを具備する。アクセス端末を動作させる他の典型的方法は、パケットを受信することであって、前記パケットは、ネットワークデバイスに対応する予め決められたエアリンクアドレスを含み、前記ネットワークデバイスは、前記予め決められたエアリンクアドレスよりも長いＩＰアドレスと前記アクセス端末に通信されるべき情報とを有することと、格納されたアドレス情報及び前記受信されたパケットに含まれる前記予め決められたエアリンクアドレスから、前記受信されたパケットに含まれる情報のソースである前記ネットワークデバイスを決定すること、とを具備する。典型的アクセス端末は、パケットを生成するためのパケット生成モジュールであって、前記パケットは、ネットワークデバイスに通信されるべき情報と前記ネットワークデバイスに対応する予め決められたエアリンクアドレスとを含み、前記ネットワークデバイスは、前記予め決められたエアリンクアドレスよりも長いＩＰアドレスを有するパケット生成モジュールと、前記生成されたパケットをエアリンクを通じてアクセスポイントに送信するための無線送信機と、を具備する。
【００１５】
上記の発明の概要においては様々な実施形態が説明されている一方で、必ずしもすべての実施形態が同じ特長を含むわけではないこと及び上述される特長の一部は必須ではないが幾つかの実施形態においては望ましい可能性があることが理解されるべきである。数多くの追加の特長、実施形態及び利益が以下の発明を実施するための最良の形態において説明される。
【図面の簡単な説明】
【００１６】
【図１】一実施形態による多元接続無線通信システムを示した図である。
【図２】典型的通信システムのブロック図である。
【図３】分散型アクセスネットワーク（ＡＮ）アーキテクチャとアクセス端末（ＡＴ）とを含む典型的ネットワークを示した図である。
【図４】中央集中型ＡＮアーキテクチャとＡＴとを含む典型的ネットワークを示した図である。
【図５】様々な実施形態によるアクセスポイントを動作させる典型的方法の流れ図である。
【図６】様々な実施形態によるアクセスポイントを動作させる典型的方法の流れ図である。
【図７】様々な実施形態による典型的アクセスポイントの図である。
【図８】情報を通信するためにアクセス端末を動作させる典型的方法の流れ図である。
【図９】様々な実施形態によるアクセス端末を動作させる典型的方法の流れ図である。
【図１０】様々な実施形態による典型的アクセス端末の図である。
【発明を実施するための形態】
【００１７】
様々な型の通信コンテンツ、例えば音声、データ、等、を提供することを目的として無線通信システムが幅広く展開されている。これらのシステムは、利用可能なシステム資源（例えば、帯域幅及び送信電力）を共有することによって複数のユーザーとの通信をサポートすることができる多元接続システムであることができる。該多元接続システムの例は、World Interoperability for Microwave Access(ＷｉＭＡＸ)（マイクロ波アクセスに関する世界的相互運用性）と、赤外線データ協会（ＩｒＤＡ）等の赤外線プロトコルと、短距離無線プロトコル／技術と、Ｂｌｕｅｔｏｏｔｈ（登録商標）技術と、ＺｉｇＢｅｅ（登録商標）プロトコルと、超広帯域（ＵＷＢ）プロトコルと、ホーム無線周波数（ＨｏｍｅＲＦ）と、共有無線アクセスプロトコル（ＳＷＡＰ）と、ワイヤレス・イーサネット（登録商標）・コンパチビリティ・アライアンス（ＷＥＣＡ）等の広帯域技術と、ワイヤレス・フィデリティ・アライアンス（Ｗｉ−Ｆｉアライアンス）と、８０２．１１ネットワーク技術と、公衆交換電話網技術と、インターネット等の公共異質通信ネットワーク技術と、プライベート・ワイヤレス通信ネットワークと、陸上移動無線ネットワークと、符号分割多元接続（ＣＤＭＡ）と、広帯域符号分割多元接続（ＷＣＤＭＡ）と、世界移動体通信システム（ＵＭＴＳ）と、高度携帯電話サービス（ＡＭＰＳ）と、時分割多元接続（ＴＤＭＡ）と、周波数分割多元接続（ＦＤＭＡ）と、直交周波数分割多元接続（ＯＦＤＭＡ）と、グローバル移動体通信システム（ＧＳＭ）と、単搬送波（１Ｘ）無線送信技術（ＲＴＴ）と、エボリューションデータ専用（ＥＶ−ＤＯ）技術と、一般的パケット無線サービス（ＧＰＲＳ）と、エンハンストデータＧＳＭ環境（ＥＤＧＥ）と、高速ダウンリンクデータパケットアクセス（ＨＳＰＤＡ）と、アナログ及びデジタル衛星システムと、無線通信ネットワーク及びデータ通信ネットワークのうちの少なくとも１つにおいて用いることができるその他の技術／プロトコルと、を含む。
【００１８】
一般的には、無線多元接続通信システムは、複数の無線端末に関する通信を同時にサポートすることができる。各端末は、順方向リンク及び逆方向リンクでの送信を介して１つ以上の基地局と通信する。順方向リンク（又はダウンリンク）は、基地局から端末への通信を意味し、逆方向リンク（又はアップリンク）は、端末から基地局への通信リンクを意味する。この通信リンクは、単入力単出力、多入力信号（ｓｉｇｎａｌ）出力又は多入力多出力（ＭＩＭＯ）システムを介して確立することができる。
【００１９】
図１に関して、一実施形態による多元接続無線通信システムが示される。アクセスポイント１００（ＡＰ）は、複数のアンテナグループを含み、１つのアンテナグループは、１０４と１０６とを含み、他のアンテナグループは、１０８と１１０とを含み、さらなるアンテナグループは、１１２と１１４とを含む。図１においては、各々のアンテナグループに関して２つのアンテナのみが示されるが、これよりも多い又は少ないアンテナを各アンテナグループに関して利用することができる。アクセス端末１１６（ＡＴ）は、アンテナ１１２及び１１４と通信状態にあり、アンテナ１１２及び１１４は、順方向リンク１２０を通じてアクセス端末１１６に情報を送信し、逆方向リンク１１８を通じてアクセス端末１１６から情報を受信する。アクセス端末１２２は、アンテナ１０６及び１０８と通信状態にあり、アンテナ１０６及び１０８は、順方向リンク１２６を通じてアクセス端末１２２に情報を送信し、逆方向リンク１２４を通じてアクセス端末１２２から情報を受信する。ＦＤＤシステムにおいては、通信リンク１１８、１２０、１２４及び１２６は、通信に関して異なる周波数を用いることができる。例えば、順方向リンク１２０は、逆方向リンク１１８によって用いられる周波数とは異なる周波数を用いることができる。
【００２０】
各アンテナグループ及び／又はこれらのアンテナグループが通信するように設計されている地域は、アクセスポイントのセクターとしばしば呼ばれる。実施形態においては、アンテナグループは、各々が、アクセスポイント１００によって網羅された地域のセクター内のアクセス端末に通信するように設計される。
【００２１】
順方向リンク１２０及び１２６を通じての通信において、アクセスポイント１００の送信アンテナは、異なるアクセス端末１１６及び１２２に関する順方向リンクの信号対雑音比を向上させるためにビーム形成を利用する。さらに、カバレッジ全体に無作為に散在するアクセス端末に送信するためにビーム形成を用いるアクセスポイントは、近隣セル内のアクセス端末に対して、単一のアンテナを通じて自己のすべてのアクセス端末に送信するアクセスポイントよりも小さい干渉を生じさせる。
【００２２】
アクセスポイントは、端末と通信するために用いられる固定局であることができ、アクセスノード、ノードＢ、基地局又はその他の何らかの用語で呼ばれることもある。アクセス端末は、アクセスデバイス、ユーザー装置（ＵＥ）、無線通信デバイス、端末、無線端末、モバイル端末、モバイルノード、エンドノード又はその他の何らかの用語で呼ばれることもある。
【００２３】
図２は、ＭＩＭＯシステム２００内の典型的アクセスポイント２１０及び典型的アクセス端末２５０の実施形態のブロック図である。アクセスポイント２１０において、幾つかのデータストリームに関するトラフィックデータが、データソース２１２から送信（ＴＸ）データプロセッサ２１４に提供される。
【００２４】
一実施形態においては、各データストリームは、各々の送信アンテナを通じて送信される。ＴＸデータプロセッサ２１４は、コーディングされたデータを提供するために各々のデータストリームに関して選択された特定のコーディング方式に基づいてそのデータストリームに関するトラフィックデータをフォーマット化、コーディング、及びインターリービングする。
【００２５】
各データストリームに関するコーディングされたデータは、ＯＦＤＭ技術を用いてパイロットデータと多重化することができる。パイロットデータは、典型的には、既知の方法で処理される既知のデータパターンであり、受信機システムにおいてチャネル応答を推定するために用いることができる。各データストリームに関する多重化されたパイロットデータ及びコーディングされたデータは、変調シンボルを提供するためにそのデータストリームに関して選択された特定の変調方式（例えば、ＢＰＳＫ、ＱＳＰＫ、Ｍ−ＰＳＫ、又はＭ−ＱＡＭ）に基づいて変調される（すなわち、シンボルマッピングされる）。各データストリームに関するデータレート、コーディング、及び変調は、プロセッサ２３０によって実行される命令によって決定することができる。
【００２６】
次に、データストリームの各々に関する変調シンボルが、ＴＸ  ＭＩＭＯプロセッサ２２０に提供され、ＴＸ  ＭＩＭＯプロセッサ２２０は、変調シンボルを（例えばＯＦＤＭ）に関してさらに処理することができる。次に、ＴＸ  ＭＩＭＯプロセッサ２２０は、ＮＴの変調シンボルストリームをＮＴの送信機（ＴＭＴＲ）２２２ａ乃至２２２ｔに提供する。一定の実施形態においては、ＴＸ  ＭＩＭＯプロセッサ２２０は、データストリームのシンボル及びシンボルが送信されているアンテナにビーム形成重みを適用する。
【００２７】
各送信機（２２２ａ、．．．、２２２ｔ）は、各々のシンボルストリームを処理して１つ以上のアナログ信号を提供し、前記アナログ信号をさらにコンディショニング（例えば、増幅、フィルタリング、及びアップコンバージョン）し、ＭＩＭＯチャネルを通じての送信に適する変調された信号を提供する。次に、送信機２２２ａ乃至２２２ｔからのＮＴの変調された信号がＮＴのアンテナ２２４ａ乃至２２４ｔからそれぞれ送信される。
【００２８】
アクセス端末２５０において、送信された変調された信号は、ＮＲのアンテナ２５２ａ乃至２５２ｒによって受信され、各アンテナ２５２からの受信された信号は、各々の受信機（ＲＣＶＲ）２５４ａ乃至２５４ｒに提供される。各受信機（２５４ａ、．．．、２５４ｒ）は、各々の受信された信号をコンディショニング（例えば、フィルタリング、増幅、及びダウンコンバージョン）し、コンディショニングされた信号をデジタル化してサンプルを提供し、前記サンプルをさらに処理して対応する“受信された”シンボルストリームを提供する。
【００２９】
次に、ＲＸデータプロセッサ２６０は、ＮＲの受信されたシンボルストリームをＮＲ受信機（２５４ａ、．．．、２５４ｒ）から受け取り、特定の受信機処理に基づいて処理してＮＴの“検出された”シンボルストリームを提供する。次に、ＲＸデータプロセッサ２６０は、各々の検出されたシンボルストリームを復調、デインターリービング、及び復号してデータストリームに関するトラフィックデータを復元する。ＲＸデータプロセッサ２６０による処理は、送信機システム２１０においてＴＸ  ＭＩＭＯプロセッサ２２０及びＴＸデータプロセッサ２１４によって行われる処理を補完するものである。
【００３０】
プロセッサ２７０は、いずれのプリコーディングマトリックスを用いるべきかを定期的に決定する（後述）。プロセッサ２７０は、マトリックスインデックス部分とランク値部分とを具備する逆方向リンクメッセージを形式化する。
【００３１】
逆方向リンクメッセージは、通信リンク及び／又は受信されたデータストリームに関する様々な型の情報を具備することができる。逆方向リンクメッセージは、データソース２３６からの幾つかのデータストリームに関するトラフィックデータも受信するＴＸデータプロセッサ２３８によって処理され、変調器２８０によって変調され、送信機２５４ａ乃至２５４ｒによってコンディショニングされ、アンテナ（２５２ａ、２５２ｒ）をそれぞれ介して送信されてアクセスポイント２１０に戻される。
【００３２】
アクセスポイント２１０において、アクセス端末２５０からの変調された信号は、アンテナ２２４によって受信され、受信機２２２によってコンディショニングされ、復調器２４０によって復調され、ＲＸデータプロセッサ２４２によって処理されて、受信機システム２５０によって送信された逆方向リンクメッセージが検出される。次に、プロセッサ２３０は、ビーム形成重みを決定するためにいずれのプリコーディングマトリックスを用いるかを決定し、抽出されたメッセージを処理する。
【００３３】
メモリ２３２は、ルーチンと、データ／情報と、を含む。プロセッサ２３０、２２０及び／又は２４２は、アクセスポイント２１０の動作を制御するため及び方法を実装するためにメモリ２３２内のルーチンを実行し、データ／情報を用いる。プロセッサ２７０、２６０及び／又は２３８は、アクセス端末２５０の動作を制御するため及び方法を実装するためにメモリ２７２内のルーチンを実行し、データ／情報を用いる。
【００３４】
一側面においては、ＳｉｍｐｌｅＲＡＮは、高速で変化し続ける無線状態において低レーテンシーアプリケーション、例えばＶＯＩＰ、の要求を受け入れるための高速ハンドオフを提供する一方で、ワイヤレスラジオアクセスネットワーク内のバックホールアクセスネットワーク要素間における通信プロトコルを大幅に単純化するように設計される。
【００３５】
一側面においては、ネットワークは、アクセス端末（ＡＴ）と、アクセスネットワーク（ＡＮ）と、を具備する。
【００３６】
ＡＮは、中央集中型及び分散型の展開の両方をサポートする。中央集中型および分散型の展開に関するネットワークアーキテクチャが図３及び図４にそれぞれ示される。
【００３７】
図３は、分散型ＡＮ３０２とＡＴ３０３とを含む典型的ネットワーク３００を示す。
【００３８】
図３に示される分散型アーキテクチャにおいては、ＡＮ３０２は、アクセスポイント（ＡＰ）と、ホームエージェント（ＨＡ）と、を具備する。ＡＮ３０２は、複数のアクセスポイント（ＡＰａ ３０４、ＡＰｂ ３０６、ＡＰｃ  ３０８）と、ホームエージェント３１０と、を含む。さらに、ＡＮ  ３０２は、ＩＰクラウド３１２を含む。ＡＰ（３０４、３０６、３０８）は、リンク（３１４、３１６、３１８）を介してＩＰクラウドに結合される。ＩＰクラウド３１２は、リンク３２０を介してＨＡ３１０に結合される。
【００３９】
ＡＰは、下記を含む。
【００４０】
ネットワーク機能（ＮＦ）
○ＡＰ当たり１つであり、複数のＮＦが単一のＡＴにサービスを提供することができる。
【００４１】
○単一のＮＦは、各ＡＴに関するＩＰ層アタッチメントポイント（ＩＡＰ）であり、すなわち、ＨＡがＡＴに送信されたパケットを転送するＮＦである。
【００４２】
○ＩＡＰは、ＡＴへのバックホールを通じてのパケットのルーティングを最適化するために変わることができる（Ｌ３ハンドオフ）。
【００４３】
○ＩＡＰは、ＡＴに関するセッションマスターの機能も実行する。（幾つかの実施形態においては、セッションマスターのみがセッション構成を実施するか又はセッション状態を変更することができる。）
○ＮＦは、ＡＰ内の各々のＴＦに関するコントローラとして行動し、ＴＦにおけるＡＴに関する機能、例えば、資源の割り当て、管理及びテアダウン等を実行する。
【００４４】
トランシーバ機能（ＴＦ）又はセクター
○ＡＰ当たり複数のＴＦであり、複数のＴＦが単一のＡＴにサービスを提供することができる。
【００４５】
○ＡＴに関するエアインタフェースアタッチメントを提供する。
【００４６】
○順方向リンク及び逆方向リンクに関して異なることができる。
【００４７】
○無線状態に基づいて変わる（Ｌ２ハンドオフ）
ＡＮ  ３０２において、ＡＰａ  ３０４は、ＮＦ  ３２４と、ＴＦ  ３２６と、ＴＦ  ３２８と、を含む。ＡＮ  ３０２において、ＡＰｂ  ３０６は、ＮＦ  ３３０と、ＮＦ  ３３２と、ＴＦ  ３３４と、を含む。ＡＮ  ３０２において、ＡＰｃ  ３０８は、ＮＦ  ３３６と、ＴＦ  ３３８と、ＴＦ  ３４０と、を含む。
【００４８】
ＡＴは、下記を含む。
【００４９】
アクティブセット内の各ＮＦに関してモバイルノード（ＭＮ）に提示されたインタフェースＩ＿ｘ
アクセス端末においてＩＰ層移動性をサポートするためのモバイルノード（ＭＮ）
ＡＰは、ＩＰを通じて定義されたトンネリングプロトコルを用いて通信する。トンネルは、データプレーンに関してはＩＰ−ｉｎ−ＩＰトンネルであり、制御プレーンに関してはＬ２ＴＰトンネルである。
【００５０】
典型的ＡＴ ３０３は、複数のインタフェース（Ｉ＿ａ ３４２、Ｉ＿ｂ ３４４、Ｉ＿ｃ ３４６）と、ＭＮ  ３４８と、を含む。ＡＴ ３０３は、無線リンク３５０を介してＡＰ＿ａ  ３０４に結合することができ、時々結合される。ＡＴ ３０３は、無線リンク３５２を介してＡＰ＿ｂ ３０６に結合することができ、時々結合される。ＡＴ ３０３は、無線リンク３５４を介してＡＰ＿ｃ ３０８に結合することができ、時々結合される。
【００５１】
図４は、分散型ＡＮ ４０２とＡＴ ４０３とを含む典型的ネットワーク４００を示す。
【００５２】
中央集中型アーキテクチャ
図４に示される中央集中型アーキテクチャにおいては、ＮＦは、もはや単一のＴＦと論理的に関連づけられておらず、このため、ＡＮは、ネットワーク機能と、アクセスポイントと、ホームエージェントと、を具備する。典型的ＡＮ  ４０２は、複数のＮＦ（４０４、４０６、４０８）と、複数のＡＰ（ＡＰ＿ａ ４１０、ＡＰ＿ｂ ４１２、ＡＰ＿ｃ ４１４）と、ＨＡ ４１６と、ＩＰクラウド４１８と、を含む。ＮＦ ４０４は、リンク４２０を介してＩＰクラウド４１８に結合される。ＮＦ ４０６は、リンク４２２を介してＩＰクラウド４１８に結合される。ＮＦ ４０８は、リンク４２４を介してＩＰクラウド４１８に結合される。ＩＰクラウド４１８は、リンク４２６を介してＨＡ ４１６に結合される。ＮＦ ４０４は、リンク（４２８、４３０、４３２）を介して（ＡＰ＿ａ ４１０、ＡＰ＿ｂ ４１２、ＡＰ＿ｃ ４１４）にそれぞれ結合される。ＮＦ ４０６は、リンク（４３４、４３６、４３８）を介して（ＡＰ＿ａ ４１０、ＡＰ＿ｂ ４１２、ＡＰ＿ｃ ４１４）にそれぞれ結合される。ＮＦ ４０８は、リンク（４４０、４４２、４４４）を介して（ＡＰ＿ａ ４１０、ＡＰ＿ｂ ４１２、ＡＰ＿ｃ ４１４）にそれぞれ結合される。
【００５３】
ＡＰ＿ａ ４１０は、ＴＦ ４６２と、ＴＦ ４６４と、を含む。ＡＰ＿ｂ ４１２は、ＴＦ ４６６と、ＴＦ ４６８と、を含む。ＡＰ＿ｃ ４１４は、ＴＦ ４７０と、ＴＦ ４７２と、を含む。
【００５４】
ＮＦはＴＦに関するコントローラとして働き、さらに多くのＮＦを単一のＴＦと論理的に関連づけることができるため、ＡＴに関するＮＦコントローラ、すなわちアクティブセットの一部としてＡＴと通信中のＮＦ、は、そのＡＴにおけるＴＦに関する資源の割り当て、管理及びテアダウンの機能を実行する。従って、複数のＮＦが、単一のＴＦにおいて資源を制御することができる。ただし、これらの資源は、独立して管理される。図４の例においては、ＮＦ ４０８は、線４６０によって示されるように、ＡＴ４０３に関するＩＡＰとして動作中である。
【００５５】
実行された論理的機能の残りは、分散型アーキテクチャに関する場合と同じである。
【００５６】
典型的ＡＴ４０３は、複数のインタフェース（Ｉ＿ａ ４４６、Ｉ＿ｂ ４４８、Ｉ＿ｃ ４５０）と、ＭＮ ４５２と、を含む。ＡＴ ４０３は、無線リンク４５４を介してＡＰ＿ａ４１０に結合することができ、時々結合される。ＡＴ４０３は、無線リンク４５６を介してＡＰ＿ｂ４１２に結合することができ、時々結合される。ＡＴ４０３は、無線リンク４５８を介してＡＰ＿ｃ４１４に結合することができ、時々結合される。
【００５７】
ＤＯ及び８０２．２０等のシステムにおいては、ＡＴは、特定のセクターのアクセスチャネル上においてアクセス試みを行うことによってＡＰからサービスを入手する（ＴＦ）。アクセス試みを受信中のＴＦと関連づけられたＮＦは、ＡＴに関するセッションマスターであるＩＡＰに接触し、ＡＴのセッションのコピーを取り出す。（ＡＴは、ＵＡＴＩをアクセスペイロードに含めることによってＩＡＰのアイデンティティを示す。ＵＡＴＩは、ＩＡＰを直接アドレッシングするためにＩＰアドレスとして用いることができ、又はＩＡＰのアドレスを検索するために用いることができる。）アクセス試みが成功した時点で、ＡＴは、そのセクターと通信するためのエアインタフェース資源、例えばＭＡＣ ＩＤ及びデータチャネル、が割り当てられる。
【００５８】
さらに、ＡＴは、聞くこと（ｈｅａｒ）ができるその他のセクター及びそれらの信号強度を示す報告を送信することができる。ＴＦは、前記報告を受信し、ＮＦ内のネットワークに基づくコントローラに転送し、前記コントローラは、アクティブセットをＡＴに提供する。ＤＯ及び８０２．２０に関して、これらは今日実装されているため、ＡＴが通信できるＮＦは正確に１つだけ存在する（ただし、一時的に２つのＮＦが存在するＮＦハンドオフ中を除く）。ＡＴと通信中のＴＦの各々は、受信されたデータ及びシグナリングをこの単一のＮＦに転送する。このＮＦは、ＡＴに関するネットワークに基づくコントローラとしても働き、ＡＴがアクティブセット内のセクターとともに用いるための資源の割り当て及びテアダウンの交渉及び管理に関する責任を有する。
【００５９】
従って、アクティブセットは、ＡＴにエアインタフェース資源が割り当てられるセクターの組である。ＡＴは、定期的報告を送信し続け、ネットワークに基づくコントローラは、ＡＴがネットワーク内を移動するのに応じてアクティブセットにセクターを加える又はアクティブセットからセクターを取り除くことができる。
【００６０】
アクティブセット内のＮＦは、アクティブセットに加わるときにＡＴに関するセッションのローカルコピーもフェッチする。セッションは、ＡＴと適切に通信するために必要である。
【００６１】
ソフトハンドオフを有するＣＤＭＡエアリンクに関して、アップリンクにおいては、アクティブセット内のセクターの各々は、ＡＴの送信を復号するのを試みることができる。ダウンリンクにおいては、アクティブセット内のセクターの各々は、ＡＴに同時に送信することができ、ＡＴは、受信された送信を結合してパケットを復号する。
【００６２】
ＯＦＤＭＡシステム、又はソフトハンドオフなしのシステムに関しては、アクティブセットの１つの機能は、ＡＴが新しいアクセス試みを行う必要なしにアクティブセット内のセクター間で素早く切り換えること及びサービスを維持することを可能にすることである。アクティブセット構成要素は、セッション及びＡＴ割り当てられたエアインタフェース資源を既に有するため、アクセス試みは、一般的には、アクティブセット構成要素間での切り換えよりもはるかに遅い。従って、アクティブセットは、アクティブアプリケーションのＱｏＳサービスに影響を及ぼさずにハンドオフを行う上で有用である。
【００６３】
ＡＴ及びＩＡＰ内のセッションマスターが属性、又は代替として接続状態の変更について交渉するときには、該属性又は新しい状態に関する新値を、各セクターから最適なサービスを確保するためにタイムリーな形で、アクティブセット内の各々のセクターに配分する必要がある。幾つかの場合においては、例えば、ヘッダーの型が変わるか又はセキュリティキーが変わる場合は、ＡＴは、これらの変更がセクターに伝搬されるまではそのセクターとまったく通信できない。従って、アクティブセットのすべての構成要素は、セッションが変わったときに更新されるべきである。幾つかの変更は、その他の変更よりも同期化に関する重要度が低い場合がある。
【００６４】
ネットワーク内においては、アクティブな接続を有するＡＴに関して３つの主な型の状態又はコンテキストが存在する。
【００６５】
データ状態は、接続中におけるＡＴとＩＡＰ又はＮＦとの間におけるデータ経路に関するネットワーク内の状態である。データ状態は、ヘッダー圧縮器状態又は非常に動的で転送が困難であるＲＬＰフロー状態等を含む。
【００６６】
セッション状態は、接続が閉じられたときに保存されるＡＴとＩＡＰとの間における制御経路に関するネットワーク内の状態である。セッション状態は、ＡＴとＩＡＰとの間で交渉される属性の値を含む。これらの属性は、接続の特性及びＡＴによって受信されるサービスに対して影響を与える。例えば、ＡＴは、新しいアプリケーションに関するＱｏＳ構成について交渉し、前記アプリケーションに関するＱｏＳサービス要求を示す新しいフィルタ及びフロー仕様をネットワークに供給することができる。他の例として、ＡＴは、ＡＮとの通信において用いられるヘッダーのサイズ及び型を交渉することができる。新しい一組の属性の交渉は、セッション変更として定義される。
【００６７】
接続状態は、接続が閉じてＡＴがアイドル状態のときに保存されない、ＡＴとＩＡＰ又はＮＦとの間における制御経路に関するネットワーク内の状態である。接続状態は、電力制御ループ値、ソフトハンドオフタイミング、及びアクティブセット情報、等の情報を含むことができる。
【００６８】
ＩＡＰ又はＬ３ハンドオフにおいては、３つの型の状態を旧ＩＡＰと新ＩＡＰとの間で転送する必要がある。アイドル中のＡＴのみがＬ３ハンドオフを行うことができる場合は、セッション状態のみを転送する必要がある。アクティブＡＴに関するＬ３ハンドオフをサポートするためには、データ及び接続状態も転送することが必要になる場合がある。
【００６９】
ＤＯ及び８０２．２０、等のシステムは、各ルートに関するデータ状態がそのルートに対してローカルである、すなわち、複数のルートが各々独立したデータ状態を有する場合に、これらのルート（又はデータスタック）を定義することによってデータ状態のＬ３ハンドオフを単純にする。各ＩＡＰを異なるルートと関連づけることによって、データ状態は、ハンドオフの際に転送する必要がない。さらなるより良いステップは、各ＮＦを異なるルートと関連づけることであり、この場合は、Ｌ３ハンドオフは、データ状態にとって完全に透明である。ただし、可能なパケット順序の再設定を除く。
【００７０】
データ状態は、複数のルートを有するため、アクティブＡＴに関するＬ３ハンドオフをサポートするための次の論理的ステップは、接続状態の制御をＩＡＰから移動させ、アクティブセット内の各ＮＦに対してローカルにすることである。このことは、複数の制御ルート（又は制御スタック）を定義しさらに制御スタックが独立していて各ＮＦに対してローカルであるようにエアインタフェースを定義することによって行われる。このことは、アクティブセットの全構成要素を管理するための単一のＮＦがもはや存在しないため、接続状態の資源の割り当て及びテアダウンの交渉及び管理の一部をＡＴに転送することを要求する場合がある。さらに、異なるＴＦは同じＮＦを共有することができないため、アクティブセット内のＴＦ間での緊密な結合を回避するためにエアインタフェース設計に関して幾つかの追加の要求を行う場合もある。例えば、最適な方法で動作するためには、同じＮＦ、例えば電力制御ループ、ソフトハンドオフ、等を有さないＴＦ間でのあらゆる密な同期化を排除するのが好ましい。
【００７１】
データ及び接続状態をＮＦまで下げることは、Ｌ３ハンドオフにおいてこの状態を転送する必要性をなくし、さらにＮＦとＮＦのインタフェースもより単純にするはずである。
【００７２】
従って、システムは、ＡＴ内の複数の独立したデータ及び制御スタック（図３及び図４においてはインタフェースと呼ばれる）が必要に応じて異なるＮＦと通信するように定義し、及び、ＡＴ及びＴＦがこれらのスタック間を論理的に区別するようにアドレッシングメカニズムを定義する。
【００７３】
基本的には、ＮＦ（又はＬ３）ハンドオフが存在するごとに交渉するのは費用がかかりすぎるため、幾つかのセッション状態（ＱｏＳプロフィール、セキュリティキー、属性値、等）は、ＮＦ（又はＩＡＰ）に対してローカルにすることができない。さらに、セッション状態は、相対的に静的で転送が容易である。必要なことは、セッション状態が変化するのに応じて及びセッションマスターが移動するＩＡＰハンドオフ中にセッション状態を管理及び更新するためのメカニズムである。
【００７４】
Ｌ３ハンドオフに関するセッション状態転送を最適化することは、ネットワークインタフェースを単純化しさらにハンドオフの継ぎ目無し性も向上させるはずであるため、ネットワークアーキテクチャにかかわらずすべてのシステムに関する有用な特長である。
【００７５】
別個であるが関連する課題は、Ｌ３ハンドオフのＡＴ制御である。今日では、ＤＯ及び８０２．２０、等のシステムにおいては、ＡＴは、ローカルスタックを割り当てる及びテアダウンするためＬ３ハンドオフを認識しているが、Ｌ３ハンドオフがいつ発生するかについては制御権を有さない。これは、ネットワークに基づく移動性管理と呼ばれる。この場合の問題は、ＡＴをハンドオフコントローラにすべきかどうか、すなわちＡＴに基づく移動性管理を用いるべきかどうかということである。
【００７６】
故障耐性及び負荷均衡化をサポートするため、ネットワークは、ハンドオフを行うことができるか又はハンドオフを行うようにＡＴにシグナリングするためのメカニズムを有する必要がある。従って、ＡＴに基づく移動性管理が用いられる場合でも、ネットワークは、いつ生じるべきかを示すためのメカニズムが依然として必要である。
【００７７】
ＡＴに基づく移動性管理は、幾つかの明確な利点、例えば、インター及びイントラ技術に関して単一のメカニズムを考慮する、グローバル及びローカル移動性、等、を有する。さらに、ＡＴに基づく移動性管理は、ネットワーク要素がいつハンドオフを行うべきかを決定するように要求しないことによってネットワークインタフェースを単純化する。
【００７８】
ＤＯ及び８０２．２０等のシステムがネットワークに基づく移動性を用いる主な理由は、ＡＴに基づく移動性が音声をサポートする上で十分に高速に機能するように最適化されないためである。二次的な理由は、ＡＴにおいて（ＭＩＰｖ６に関する）モバイルＩＰトンネルを終了させることによって導入されるトンネリングオーバーヘッドである。移動性レーテンシーは、現在と前の順方向リンク交信セクターの間においてトンネルを用いて、及び可能な場合はデータがアクティブセット内の複数のＮＦに対して同時に送信されるバイキャスティングを用いて、データを転送することによって解決することができる。
【００７９】
ＳｉｍｐｌｅＲＡＮにおいては、２つの型のハンドオフが存在する。例えば、レイヤ２又はＬ２ハンドオフは、順方向リンク又は逆方向リンク交信セクターの変更を意味し（ＴＦ）、Ｌ３ハンドオフは、ＩＡＰの変更を意味する。Ｌ２ハンドオフは、変化し続ける無線状態に応じて可能なかぎり速やかであるべきである。ＤＯ及び８０２．２０、等のシステムは、ＰＨＹ層シグナリングを用いてＬ２ハンドオフを高速にする。
【００８０】
Ｌ２ハンドオフは、順方向リンク（ＦＬ）又は逆方向リンク（ＲＬ）に関する交信セクターＴＦの転送である。ハンドオフは、ＡＴがアクティブセット内の新しい交信セクターをそのセクターに関するＡＴにおけるＲＦ状態に基づいて選択したときに生じる。ＡＴは、アクティブセット内の全セクターに関する順方向リンク及び逆方向リンクに関するＲＦ状態に関するフィルタリングされた測定を行う。例えば、８０２．２０においては、順方向リンクに関して、ＡＴは、取得パイロットにおけるＳＩＮＲ、共通のパイロットチャネル（存在する場合）、及び共有されるシグナリングチャネルにおけるパイロットを測定して、その希望されるＦＬ交信セクターを選択する。逆方向リンクに関しては、ＡＴは、アクティブセット内の各セクターに関するＣＱＩ消去レートをそのセクターからＡＴへのアップ／ダウン電力制御コマンドに基づいて推定する。
【００８１】
Ｌ２ハンドオフは、ＡＴが逆方向リンク制御チャネルを介して異なるＦＬ又はＲＬ交信セクターを要求するときに開始される。専用資源は、ＴＦがＡＴに関するアクティブセット内に含まれているときにＴＦにおいて割り当てられる。ＴＦは、ハンドオフ要求前にＡＴをサポートするように既に構成されている。目標となる交信セクターは、ハンドオフ要求を検出し、ＡＴにトラフィック資源を割り当てることによってハンドオフを完了する。順方向リンクＴＦハンドオフは、送信すべき目標ＴＦに関するデータを受信するためにソースＴＦ又はＩＡＰと目標ＴＦとの間における往復のメッセージ伝送を要求する。逆方向リンクＴＦハンドオフに関しては、目標ＴＦは、直ちにＡＴに対して資源を割り当てることができる。
【００８２】
Ｌ３ハンドオフは、ＩＡＰの転送である。Ｌ３ハンドオフは、新しいＩＡＰによるＨＡを拘束する更新が関わり、制御プレーンに関する新しいＩＡＰへのセッション転送を要求する。Ｌ３ハンドオフは、システム内でのＬ２ハンドオフと非同期であり、このためＬ２ハンドオフは、ＭＩＰｖ６ハンドオフシグナリング速度によって制限されない。
【００８３】
Ｌ３ハンドオフは、各ＮＦへの独立したルートを定義することによってシステム内においてオーバー・ザ・エアでサポートされる。各フローは、より高い層のパケットの送信及び受信に関する複数のルートを提供する。前記ルートは、いずれのＮＦがパケットを処理したかを示す。例えば、１つのＮＦは、ＴＦにおいて及びオーバー・ザ・エアでルートＡとして関連づけることができ、他のＮＦは、ルートＢと関連づけることができる。交信ＴＦは、各々に関して別個の及び独立したシーケンススペースを用いて、ルートＡ及びルートＢの両方から、すなわち両方のＮＦから、ＡＴに同時にパケットを送信することができる。
【００８４】
システム設計では、モバイルに関するＱｏＳ処理を保証するために２つの重要なアイデアが存在しており、そのトラフィックは、各ハンドオフモード、すなわちＬ２及びＬ３ハンドオフの分離、を通じて保持される。
【００８５】
ハンドオフ中におけるデータフロー遮断を最小限にするために、ハンドオフ前における目標ＮＦ又はＴＦでのエアインタフェース資源の保存及びセッションのフェッチが生じる。このことは、目標ＴＦ及びＮＦをアクティブセットに加えることによって行われる。
【００８６】
システムは、システムが高レートのＬ２ハンドオフ中にＥＦトラフィックをサポートするのを可能にするためにＬ２ハンドオフ及びＬ３ハンドオフを分離するように設計される。Ｌ３ハンドオフは、毎秒２乃至３のレートに制限される拘束更新（ｂｉｎｄｉｎｇ  ｕｐｄａｔｅ）を要求する。２０乃至３０Ｈｚのより高速なＬ２ハンドオフレートを可能にするために、Ｌ２及びＬ３ハンドオフは、独立していて非同期であるように設計される。
【００８７】
Ｌ２ハンドオフに関して、アクティブセット管理は、Ｌ２ハンドオフの場合にＡＴに直ちにサービスを提供できるようにするためにアクティブセット内の全ＴＦを構成して専用資源を割り当てることを可能にする。
【００８８】
アクセス端末（ＡＴ）にサービスを提供する複数のアクセスポイント（ＡＰ）を有する移動体無線通信システムについて検討する。多くのシステムは、ＡＴに資源を割り当てているＡＰの組であるアクティブセットを有する。所定の時点において、ＡＴは、ＡＰのうちの１つとの無線通信範囲内にあることができ、又は電池電力の最適化及び無線干渉低減を目的として、１つの慎重に選択されたＡＰ（交信ＡＰ）のみと通信することができる。ここで検討される問題は、交信ＡＰがＡＴに又はＡＴからメッセージを引き渡すことができるような形での、システム内における様々なＡＰ間でのメッセージ及びデータの引き渡しである。
【００８９】
ＡＰは、Ｌ２ＴＰ（層２トンネリングプロトコル）トンネルを通じてデータを交換することができる。ＡＰ２が交信ＡＰである間にＡＰ１がＡＴにメッセージ又はデータを送信しなければならない場合は、ＡＰ１は、最初にＬ２ＴＰトンネルを用いてＡＰ２にパケットを引き渡し、ＡＰ２は、識別子ビット、例えばリプロセスビット、の使用を含むメカニズムを用いてこのパケットをＡＴに引き渡す。同様に、ＡＰ２が交信中にＡＴがメッセージ又はデータをＡＰ１に送信しなければならない場合は、リモートビット組を用いてＡＰ２にメッセージを送信し、ＡＰ２は、Ｌ２ＴＰトンネルを介してこのパケットをＡＰ１に送信する。
【００９０】
Ｌ２ＴＰヘッダーは、以下のフィールドを含む。
【００９１】
１．  ＵｓｅｒＩＤ：このフィールドは、Ｌ２ＴＰパケットがアドレッシングされる先であるユーザーのアドレスである。
【００９２】
２．  ＦｏｒｗａｒｄＯｒＲｅｖｅｒｓｅ：このフィールドは、ＡＴがパケットの行先であるか又はソースであるかを識別する。
【００９３】
３．  ＦｌｏｗＩＤ：一設計においては、このフィールドは、順方向リンクパケット（ＡＴ向けパケット）内のみにおいて存在することができ、交信ＡＰがパケットをＡＴに引き渡すために用いるべきフローを識別する。
【００９４】
４．  ＳｅｃｕｒｉｔｙＦｉｅｌｄ：一設計においては、このフィールドは、逆方向リンクパケット（ＡＴにおいて生成されたパケット）内のみにおいて存在することができる。ＳｅｃｕｒｉｔｙＦｉｅｌｄは、ＩｓＳｅｃｕｒｅビットと、（セキュリティ動作に関して用いられるキーを識別するための）ＫｅｙＩｎｄｅｘフィールドと、ＣｒｙｐｔｏＳｙｎｃフィールドと、を含むことができる。
【００９５】
一側面においては、順方向リンクＬ２ＴＰパケットが通信される。ここでは、順方向リンクＬ２ＴＰパケットを送信及び受信するためにＡＰによって用いられるプロセスについて説明する。
【００９６】
ＡＰは、ＡＴに送信すべきデータ又はメッセージを有するときに順方向リンクＬ２ＴＰパケットを送信する。ＡＰは、該当するヘッダーを形成し、（交信ＡＰのアイデンティティを知らない場合は、可能な場合は中央ノード−ＩＡＰを通じてパケットをルーティングすることによって）Ｌ２ＴＰパケットを交信ＡＰに送信する。
【００９７】
ＡＰは、順方向リンクＬ２ＴＰパケットを受信したときに以下のステップを実行する。
【００９８】
１．  ＡＰが（Ｌ２ＴＰヘッダー内の）所定のＵｓｅｒＩＤに関して交信中でない場合は、（可能な場合は中央ノード−ＩＡＰを通じてパケットをルーティングすることによって）現在の交信ＡＰにパケットを転送する。
【００９９】
２．  ＡＰが所定のＵｓｅｒＩＤに関して交信中である場合は、（Ｌ２ＴＰヘッダー内の）所定のＦｌｏｗＩＤに関するＲＬＰフロー及び関連づけられたＱｏＳ属性を用いてＡＴにパケットを引き渡す。
【０１００】
一側面においては、逆方向リンクＬ２ＴＰパケットが通信される。ここでは、逆方向リンクＬ２ＴＰパケットを送信及び受信するためにＡＰによって用いられるプロセスについて説明する。
【０１０１】
ＡＰは、ＡＴからパケットを受信したときに逆方向リンクＬ２ＴＰパケットを送信し、リモートビットがそのパケットに関して設定される。ＡＰがＬ２ＴＰパケットを送信するための第１のステップは、アドレスの決定である。
【０１０２】
アドレス決定：パケットに関するリモートビットが設定された場合は、パケットは、このパケットをいずれのＡＰ（目標ＡＰ）に引き渡すべきかを識別するためのアドレスフィールドも含む。受信中のＡＰは、ＡＰのＩＰアドレスにアドレスフィールドをマッピングする。このマッピングは、以下によって確立することができる。
【０１０３】
１．  マッピングについて説明するメッセージがＡＴからＡＰに送信され、次にマッピング情報がＡＰによって用いられてエアリンクを通じて用いられるアドレスとＩＰアドレスとの間でマッピングするＡＴ補助方法。
【０１０４】
２．  中央のエンティティ又は目標ＡＰによって提供されたマッピング情報が用いられるネットワーク補助方法。
【０１０５】
３．  ＰｉｌｏｔＰＮに基づく方法。この場合は、アドレスフィールドは、単純に、アドレスに対応するＡＰのＰｉｌｏｔＰＮ（又はＰｉｌｏｔＰＮの幾つかの上位ビット）に等しくすることができる。受信中のＡＰは、すべての近隣ＡＰのＰｉｌｏｔＰＮ及びＩＰアドレスをネットワーク構成（それ自体がネットワーク補助型であることができる）の一部として知っており、この情報を用いてＰＮに基づくアドレスと対応するＩＰアドレスとの間でマッピングする。
【０１０６】
４．  ＡＴに関するインターネットアタッチメントポイントであるＡＰを識別するために特別なアドレス型がＡＴによって用いられるＩＡＰアドレス方法。ＡＴに対応するＡＰから成るアクティブセット内の各ＡＰは、その特定のＡＴに関するＩＡＰのＩＰアドレスを知っており、ＡＴのＩＡＰのＩＡＰアドレスとＩＰアドレスとの間でマッピングすることができる。
【０１０７】
アドレス決定後は、Ｌ２ＴＰパケットを送信中のＡＰは、必要な場合、及びセキュリティ設計による決定に従って、セキュリティ関連フィールドを挿入することもできる。
【０１０８】
ＡＰは、逆方向リンクＬ２ＴＰパケットを受信したときに以下のステップを実行する。
【０１０９】
１．  ＡＰが（Ｌ２ＴＰトンネル内の）受信されたパケットにおいて示される所定のＵｓｅｒＩＤを提供中でない場合は、そのパケットを無視する。
【０１１０】
２．  ＡＰが受信されたパケットの所定のＵｓｅｒＩＤを提供中である場合は、ＡＰは、パケットがあたかも自己のＭＡＣ層から受信されたものとしてパケットを処理する。パケットの処理は、Ｌ２ＴＰトンネルにおいて受信されたＳｅｃｕｒｉｔｙＦｉｅｌｄに依存することができる。
【０１１１】
図５は、様々な実施形態によるアクセスポイントを動作させる典型的方法の流れ図５００である。動作は、ステップ５０２において開始し、アクセスポイントに電源が投入されて初期設定され、ステップ５０４に進む。
【０１１２】
ステップ５０４において、アクセスポイントは、アクセス端末から通信された第１のパケットをエアリンクから受信し、前記第１のパケットは、ネットワークデバイスに通信されるべき情報と、前記ネットワークデバイスに対応する予め定義されたエアリンクアドレスと、を含み、前記ネットワークデバイスは、前記予め決められたエアリンクアドレスよりも長いＩＰアドレスを有する。動作は、ステップ５０４からステップ５０６に進む。
【０１１３】
ステップ５０６において、アクセス端末は、前記予め決められたエアリンクアドレスに対応するＩＰアドレスを予め決められたエアリンクアドレスとＩＰアドレスとの間でマッピングする情報から決定する。様々な実施形態においては、前記予め定義されたエアリンクアドレスに対応するＩＰアドレスを決定することは、予め定義されたエアリンクアドレスをネットワークデバイスのＩＰアドレスにマッピングする情報を含むデータベースにアクセスすることを含む。幾つかの実施形態においては、前記予め定義されたエアリンクアドレスに対応するＩＰアドレスを決定するステップは、受信された第１のパケットを送信したアクセス端末を識別する情報の関数として実行され、前記情報は、予め定義されたエアリンクアドレスをＩＰアドレスにマッピングし、予め定義されたエアリンクアドレスを予め定義されたマッピングを含んでいたパケットのソースに依存して異なるＩＰアドレスにマッピングする情報を含む。
【０１１４】
様々な実施形態においては、予め定義されたアドレスは、インターネットアタッチメントポイント（ＩＡＰ）アドレスである。幾つかの実施形態においては、予め定義されたアドレスは、セッションコントローラアドレスである。幾つかの実施形態においては、予め定義されたエアリンクアドレスは、予約されたアドレスであり、前記データベース内の前記予め定義されたエアリンクアドレスのうちの少なくとも１つは、短いか又はエアリンクを通じて前記アクセス端末によって用いられるその他のあらゆるアドレスよりも短い。１つの典型的実施形態においては、予め定義されたアドレスのうちの少なくとも１つは、多くとも２つのビットを含む。動作は、ステップ５０６からステップ５０８に進む。
【０１１５】
ステップ５０８において、アクセス端末は、前記ネットワークデバイスに向けられた第２のパケットを送信し、前記送信された第２のパケットは、前記決定されたＩＰアドレスと前記ネットワークデバイスに通信されるべき情報とを含む。
【０１１６】
図６は、様々な実施形態によるアクセスポイントを動作させる典型的方法の流れ図６００である。動作は、ステップ６０２において開始し、アクセス端末に電源が投入されて初期設定され、ステップ６０４に進む。ステップ６０４において、アクセスポイントは、ネットワークデバイスとの通信リンクから、アクセス端末に通信されるべき情報と前記情報のソースを示すネットワークデバイスＩＰアドレスとを含む第１のパケットを受信する。動作は、ステップ６０４からステップ６０６に進む。
【０１１７】
ステップ６０６において、アクセス端末は、前記ネットワークデバイスアドレスに対応する予め定義されたエアリンクアドレスを予め定義されたエアリンクアドレスとＩＰアドレスとの間でマッピングする情報から決定し、前記予め定義されたエアリンクアドレスは、前記ＩＰアドレスよりも短い。様々な実施形態においては、前記予め定義されたエアリンクアドレスに対応するＩＰアドレスを決定する前記ステップは、ネットワークデバイスのＩＰアドレスを予め決められたエアリンクアドレスにマッピングする情報を含む格納された情報にアクセスすることを含む。幾つかの該実施形態においては、格納された情報は、異なるＩＰアドレスを有する同じ型の複数のネットワークデバイスを同じ予め決められたエアリンクアドレスにマッピングすることを示す。幾つかの実施形態においては、予め定義されたアドレスは、インターネットアタッチメントポイントアドレスである。幾つかの実施形態においては、予め定義されたアドレスは、セッションコントローラアドレスである。様々な実施形態においては、予め定義されたエアリンクアドレスは、予約されたアドレスであり、予め定義されたアドレスのうちの少なくとも１つは、エアリンクを通じて前記アクセス端末によって用いられるその他のあらゆるアドレスと同じ短さであるか又はより短い。１つの典型的実施形態においては、予め定義されたアドレスのうちの少なくとも１つは、多くとも２つのビットを含む。動作は、ステップ６０６からステップ６０８に進む。
【０１１８】
ステップ６０８において、アクセスポイントは、エアリンクを通じて第２のパケットを前記アクセス端末に送信し、前記送信された第２のパケットは、前記決定された予め定義されたエアリンクアドレスと前記アクセス端末に通信されるべき情報とを含む。
【０１１９】
図７は、様々な実施形態による典型的アクセスポイント７００の図である。典型的アクセスポイント７００は、様々な要素がデータ及び情報を交換することができるバス７１２を介してひとつに結合された無線受信機モジュール７０２と、無線送信機モジュール７０４と、プロセッサ７０６と、ネットワークインタフェースモジュール７０８と、メモリ７１０と、を含む。メモリ７１０は、ルーチン７１８と、データ／情報７２０と、を含む。プロセッサ７０６、例えばＣＰＵ、は、アクセスポイントの動作を制御するため及び方法、例えば図５の流れ図５００及び／又は図６の流れ図６００による方法、を実装するためにメモリ７１０内のルーチン７１８を実行し、データ／情報７２０を用いる。
【０１２０】
無線受信機モジュール７０２、例えばＯＦＤＭ及び／又はＣＤＭＡ受信機、は、受信機アンテナ７１４に結合され、アクセスポイントは、受信機アンテナ７１４を介して、アクセス端末からアップリンク信号を受信する。無線受信機モジュール７０２は、アクセス端末からパケットを受信し、前記受信されたパケットは、ネットワークデバイスに通信されるべき情報とネットワークデバイスに対応する予め定義されたエアリンクアドレスとを含み、前記ネットワークデバイスは、前記予め定義されたエアリンクアドレスよりも長いＩＰアドレスを有する。ＡＴからの受信されたパケット７３４は、無線受信機モジュール７０２によって受信された受信されたパケットの例である。
【０１２１】
無線送信機モジュール７０４、例えばＯＦＤＭ及び／又はＣＤＭＡ送信機、は、送信アンテナ７１６に結合され、アクセスポイントは、送信アンテナ７１６を介して、ダウンリンク信号をアクセス端末に送信する。無線送信機モジュール７０４は、無線通信リンクを通じて、ＡＴに向けられたダウンリンクパケットを送信する。ＡＴに向けられた典型的な生成されたパケット７４０は、無線送信機モジュール７０４によって送信されたパケットである。
【０１２２】
幾つかの実施形態においては、複数のアンテナ及び／又は複数のアンテナ要素が受信に関して用いられる。幾つかの実施形態においては、複数のアンテナ及び／又は複数のアンテナ要素が送信に関して用いられる。幾つかの実施形態においては、同じアンテナ又はアンテナ要素の少なくとも一部は、送信及び受信の両方に関して用いられる。幾つかの実施形態においては、アクセスポイントは、ＭＩＭＯ技術を用いる。
【０１２３】
ネットワークインタフェースモジュール７０８は、アクセスポイント７００を、ネットワークリンク７０９を介してその他のネットワークノード、例えばその他のアクセスポイント、ＡＡＡノード、ホームエージェントノード、等、及び／又はインターネットに結合する。ネットワークインタフェースモジュール７０８は、送信機モジュール７１１と、受信機モジュール７１３と、を含む。送信機モジュール７１１、例えばバックホールネットワーク送信機、は、ネットワークデバイスに向けられたパケットを送信し、前記送信されたパケットは、決定されたＩＰアドレスとネットワークデバイスに通信されるべき情報とを含む。例えば、送信機モジュール７１１は、ネットワークデバイスに向けられた生成されたパケット７３６を送信する。受信機モジュール７１３、例えばバックホールネットワーク受信機、は、ネットワークデバイスとの通信リンクから、アクセス端末に通信されるべき情報と前記情報のソースを示すネットワークデバイスＩＰアドレスとを含むパケットを受信する。ネットワークデバイスからの受信されたパケット７３８は、受信機モジュール７１３を介して受信された該典型的パケットである。
【０１２４】
ルーチン７１８は、ＩＰアドレス決定モジュール７２２と、アクセス端末識別モジュール７２４と、ネットワークパケット生成モジュール７２６と、エアリンクアドレス決定モジュール７２７と、エアリンクパケット生成モジュール７２８と、を含む。データ／情報７２０は、アドレス情報データベース７３０と、アクセス端末状態情報７３２と、アクセス端末からの受信されたパケット７３４と、ネットワークデバイスに向けられた生成されたパケット７３６と、ネットワークデバイスからの受信されたパケット７３８と、アクセス端末に向けられた生成されたパケット７４０と、を含む。
【０１２５】
アドレス情報データベース７３０は、複数の異なる型のネットワークデバイスに対応するアドレス情報（ネットワークデバイス１情報７４２、．．．、ネットワークデバイスｎ情報７４４）を含む。アドレス情報データベース７３０は、ＩＰアドレス決定モジュール７２２に結合され、予め定義されたエアリンクアドレスとネットワークデバイスのＩＰアドレスとの間でマッピングする情報を含む。アドレス情報データベース７３０は、エアリンクアドレス決定モジュール７２７にも結合される。ネットワークデバイス１情報７４２、例えばインターネットアタッチメントポイント（ＩＡＰ）情報、は、予め定義されたエアリンクアドレス７４６と、アクセス端末識別情報（ＡＴ  １  ＩＤ情報７４８、．．．、ＡＴ  Ｎ  ＩＤ情報７５２）と、ＩＰアドレス情報（ＩＰアドレス７５０、．．．、ＩＰアドレス７５４）とを含む。ネットワークデバイス１、例えばＩＡＰ、に対応し、（ＡＴ  １  ＩＤ情報７４８、．．．、ＡＴ  Ｎ  ＩＤ情報７５２）によって識別されるＡＴの各々は、同じ予め定義されたエアリンクアドレス７４６を用いる。しかしながら、予め定義されたエアリンクアドレス７４６は、異なるＩＰアドレスに対応することができ、時々対応する。ＡＴ  ＩＤ  １  ７４８によって識別されるＡＴに関しては、予め定義されたエアリンクアドレス７４６は、ＩＰアドレス７５０に対応し、他方、ＡＴ  ＩＤ  Ｎ  ７５２によって識別されるＡＴに関しては、予め定義されたエアリンクアドレス７４６は、ＩＰアドレス７５４に対応する。ＩＰアドレス７５０及び７５４は、異なることができ、時々異なる。ネットワークデバイスｎ情報７４４、例えばセッションコントローラ情報、は、予め定義されたエアリンクアドレス７５６と、アクセス端末識別情報（ＡＴ  １  ＩＤ情報７５８、．．．、ＡＴ  Ｎ  ＩＤ情報７６２）と、ＩＰアドレス情報（ＩＰアドレス７６０、．．．、ＩＰアドレス７６４）と、を含む。ネットワークデバイスｎ、例えばセッションコントローラ、に対応し、（ＡＴ  １  ＩＤ  ７５８、．．．、ＡＴ  Ｎ  ＩＤ７６２）によって識別されるＡＴの各々は、同じ予め定義されたエアリンクアドレス７５６を用いる。しかしながら、予め定義されたエアリンクアドレス７５６は、異なるＩＰアドレスに対応することができ、時々対応する。ＡＴ  ＩＤ  １  ７５８によって識別されるＡＴに関しては、予め定義されたエアリンクアドレス７５６は、ＩＰアドレス７６０に対応し、他方、ＡＴ ＩＤ Ｎ ７６２によって識別されるＡＴに関しては、予め定義されたエアリンクアドレス７５６は、ＩＰアドレス７６４に対応する。ＩＰアドレス７６０及び７６４は、異なることができ、時々異なる。
【０１２６】
幾つかの実施形態においては、予め定義されたエアリンクアドレスは、予約されたアドレスである。幾つかの該実施形態においては、前記データベース７３０内の予め定義されたエアリンクアドレスのうちの少なくとも１つは、短いか又はエアリンクを通じてアクセス端末によって用いられるその他のあらゆるアドレスよりも短い。
【０１２７】
アクセス端末状態情報７３２は、複数の異なるアクセス端に対応する状態情報（アクセス端末１状態情報７６６、．．．、アクセスＮ状態情報７６８）を含む。
【０１２８】
アクセス端末７３４からの受信されたパケットは、予め定義されたエアリンクアドレス７７０とネットワークデバイスに通信されるべき情報７７２とを含む。ネットワークデバイスに向けられた生成されたパケット７３６は、ＩＰアドレス７７４と、ネットワークデバイスへの情報７７６と、を含む。
【０１２９】
ネットワークデバイスからの受信されたパケット７３８は、ＩＰアドレス７７８と、アクセス端末への情報７８０とを含む。アクセス端末に向けられた生成されたパケット７４０は、予め定義されたエアリンクアドレス７８２と、アクセス端末に向けられた情報７８４と、を含む。
【０１３０】
ＩＰアドレス決定モジュール７２２は、予め定義されたエアリンクアドレスに対応するＩＰアドレスを予め定義されたエアリンクアドレスとＩＰアドレスとの間でマッピングする情報から決定する。例えば、ＩＰアドレス決定モジュール７２２は、受信された予め定義されたエアリンクアドレス７７０及びアドレス情報データベース７３０からＩＰアドレス７７４を決定する。
【０１３１】
アクセス端末識別モジュール７２４は、受信されたパケットを送信したアクセス端末を識別する情報を、前記ＩＰアドレス決定モジュール７２２に提供し、前記ＩＰアドレス決定モジュールは、前記予め定義されたエアリンクアドレスに対応するＩＰアドレスをアクセス端末を識別する情報の関数として決定する。予め定義されたエアリンクアドレスをＩＰアドレスにマッピングする情報は、予め定義されたエアリンクアドレスを予め定義されたアドレス及び前記情報を含んでいたパケットのソースに依存して異なるＩＰアドレスにマッピングする情報を含む。例えば、ＡＴからの受信されたパケット７３４のソースが、ＡＴ  ＩＤ  １  ７４８によって識別されるアクセス端末であり、予め定義されたエアリンクアドレスが予め定義されたエアリンクアドレス７４６であった場合は、ＩＰアドレスは、ＩＰアドレス７５０である。しかしながら、ＡＴからの受信されたパケット７３４のソースがＡＴ  ＩＤ  Ｎ  ７５２によって識別されたアクセス端末であった場合は、予め定義されたエアリンクアドレスは、予め定義されたエアリンクアドレス７４６であり、ＩＰアドレスは、ＩＰアドレス７５４である。
【０１３２】
エアリンクアドレス決定モジュール７２７は、ネットワークデバイスに対応する予め決められたエアリンクアドレスを予め定義されたエアリンクアドレスとＩＰアドレスとの間でマッピングする前記情報から決定し、前記予め定義されたエアリンクアドレスは、前記ＩＰアドレスよりも短い。例えば、エアリンクアドレス決定モジュール７２７は、ＡＴに向けられた生成されたパケット７４０において用いられる予め定義されたエアリンクアドレス７８２をネットワークデバイス７３８からの受信されたパケットのＩＰアドレス７７８及びパケットが向けられる先であるＡＴに対応するアドレス情報データベース７３０内のマッピング情報から決定する。
【０１３３】
エアリンクパケット生成モジュール７２８は、エアリンクを通じて送信されるべきパケットを生成し、前記生成されたパケットは、ネットワークデバイス、例えばパケットによって搬送中の情報のソースであるネットワークデバイス、に対応する予め決められたエアリンクアドレスを含む。ＡＴに向けられた生成されたパケット７４０は、エアリンクパケット生成モジュール７２８によって生成された典型的パケットである。ネットワークパケット生成モジュール７２６は、ネットワークデバイス、例えばアクセス端末に関するＩＡＰ又はＡＴに関するセッションコントローラとして行動するアクセス端末、に向けられたパケットを生成する。ネットワークデバイスに向けられた生成されたパケット７３６は、ネットワークパケット生成モジュール７２６によって生成された典型的パケットである。ネットワークパケット生成モジュール７２６は、パケット、例えばパケット７３６、を生成する際にＩＰアドレス決定モジュール７２２によって決定されたＩＰアドレスを用いる。
【０１３４】
図８は、情報を通信するためにアクセス端末を動作させる典型的方法の流れ図８００である。動作は、ステップ８０２において開始し、アクセス端末に電源が投入されて初期設定され、ステップ８０４に進む。ステップ８０４において、アクセス端末は、パケットを生成し、前記パケットは、ネットワークデバイスに対応する予め定義されたエアリンクアドレスを含み、前記ネットワークデバイスは、前記予め決められたエアリンクアドレスよりも長いＩＰアドレスと前記ネットワークデバイスに通信されるべき情報とを有する。幾つかの実施形態においては、生成されたパケットは、ＭＡＣパケットである。ステップ８０４は、サブステップ８０６と、８０８と、を含む。サブステップ８０６において、アクセス端末は、一組の格納された予め定義されたエアリンクアドレスから、情報が通信されるべき前記ネットワークデバイスに対応するアドレスを選択する。次に、サブステップ８０８において、アクセス端末は、選択された予め定義されたエアリンクアドレスをパケットヘッダーの行先フィールド内に入れる。
【０１３５】
幾つかの実施形態においては、予め定義されたエアリンクアドレスは、予約されたアドレスであり、前記格納された組内の予め定義されたエアリンクアドレスのうちの少なくとも１つは、エアリンクを通じて前記アクセス端末によって用いられるその他のあらゆるアドレスよりも短い。幾つかの実施形態においては、ネットワークデバイスは、ネットワークへのアクセスを入手するためにアクセス端末によって用いられるインターネットアタッチメントポイントであることができ、時々インターネットアタッチメントポイントである。幾つかの実施形態においては、ネットワークデバイスは、アクセス端末が参加者である通信セッションを制御するために用いられるセッションコントローラである。
【０１３６】
幾つかの実施形態においては、ネットワークデバイスと通信するために前記アクセス端末によって用いられる予め定義されたエアリンクアドレスは、その他のネットワークデバイスと通信するためにその他のアクセス端末によって用いられる予め定義されたエアリンクアドレスと同じであり、生成されたパケットは、パケット内の情報が通信されている前記ネットワークデバイスのＩＰアドレスを決定するために前記予め定義されたエアリンクアドレスと組み合わせて受信デバイスによって用いられるアクセス端末識別子を含む。幾つかの実施形態においては、ネットワークデバイスは、アクセス端末が参加者である通信セッションを制御するために用いられるセッションコントローラである。様々な実施形態においては、同じ予め定義されたアドレスを用いて異なるアクセス端末によってアクセスされるネットワークデバイスは、同じ型のネットワークデバイスである。
【０１３７】
動作は、ステップ８４０からステップ８１０に進む。ステップ８１０において、アクセス端末は、生成されたパケットをエアリンクを通じてアクセスポイントに送信する。
【０１３８】
一実施形態においては、ネットワークデバイスは、インターネットアタッチメントポイント（ＩＡＰ）であり、アクセス端末に関するＩＡＰが所在位置又はネットワーク上の考慮事項に起因して変わるときには、ＡＴの現在のインターネットアタッチメントポイントにアクセスするためにアクセス端末によって用いられる予約されたアドレスは、引き続き同じであるが、予約されたアドレスとＡＴに関する現在のＩＡＰのＩＰとの間でのマッピングは、アクセス端末がインターネットアタッチメントポイントを変更したときに変わる。従って、幾つかの実施形態においては、ＡＴによって用いられる予約されたエアリンクアドレス、例えばＩＡＰ機能に関する予約されたエアリンクアドレス、は、ＡＴの観点からは、異なる時点において異なる物理的デバイス、例えばＡＴに関して同じ機能を提供する異なる物理的デバイス、と関連づけることができ、時々関連づけられる仮想アドレスであるとみることができる。幾つかの実施形態においては、ＡＴは、所定の時点においてＡＴに関する現在のＩＡＰのＩＰアドレスを知っている必要がなく、知らない。
【０１３９】
図９は、様々な実施形態によるアクセス端末を動作させる典型的方法の流れ図９００である。動作は、ステップ９０２において開始し、アクセス端末に電源が投入されて初期設定され、ステップ９０４に進む。ステップ９０４において、アクセス端末は、パケット、例えばＭＡＣパケット、を受信し、前記パケットは、ネットワークデバイスに対応する予め決められたエアリンクアドレスを含み、前記ネットワークデバイスは、前記予め決められたエアリンクアドレスよりも長いＩＰアドレスと前記アクセス端末に通信されるべき情報とを有する。動作は、ステップ９０４からステップ９０６に進む。ステップ９０６において、アクセス端末は、格納されたアドレス情報及び前記受信されたパケットに含まれる前記予め決められたエアリンクアドレスから、受信されたパケットに含まれる情報のソースであるネットワークデバイスを決定する。
【０１４０】
動作は、ステップ９０６からステップ９０８に進む。ステップ９０８において、アクセス端末は、受信されたパケットを、いずれのネットワークデバイスが受信されたパケットに含まれる情報のソースであるか決定されることに依存する方法で処理し、前記処理することは、決定されたネットワークデバイスから受信されたメッセージを処理するアクセス端末内のソフトウェアモジュールに情報を向けることを含む。
【０１４１】
幾つかの実施形態においては、受信されたパケットは、前記受信されたパケットに含まれるパケットヘッダーのソースフィールド内に予め決められたエアリンクアドレスを含める。様々な実施形態においては、予め定義されたエアリンクアドレスは、予約されたアドレスであり、前記予め定義されたエアリンクアドレスは、エアリンクを通じて前記アクセス端末によって用いられるその他のあらゆるアドレスと同じ短さであるか又はより短い。１つの該実施形態においては、予め定義されたアドレスは、多くとも２つのビットを含む。
【０１４２】
幾つかの実施形態においては、ネットワークデバイスは、ネットワークへのアクセスを入手するために前記アクセス端末によって用いられるインターネットアタッチメントポイントである。様々な実施形態においては、ネットワークデバイスと通信するためにアクセス端末によって用いられる予め定義されたアドレスは、その他のネットワークデバイスにアクセスするためにその他のアクセス端末によって用いられる予め定義されたエアリンクアドレスと同じである。幾つかの該実施形態においては、ネットワークデバイス及びその他のネットワークデバイスは、インターネットアタッチメントポイントである。
【０１４３】
様々な実施形態において、ネットワークデバイスは、アクセス端末が参加者である通信セッションを制御するために用いられるセッションコントローラである。
【０１４４】
図１０は、様々な実施形態による典型的アクセス端末１０００の図である。典型的アクセス端末１０００は、アクセスポイントを通じて遠隔デバイスに情報を通信することができ、時々通信する。典型的アクセス端末１０００は、様々な要素がデータ及び情報を交換することができるバス１０１２を介してひとつに結合された無線受信機モジュール１００２と、無線送信機モジュール１００４と、プロセッサ１００６と、ユーザーＩ／Ｏデバイス１００８と、メモリ１０１０と、を含む。メモリ１０１０は、ルーチン１０１８と、データ／情報１０２０と、を含む。プロセッサ１００６、例えばＣＰＵ、は、アクセス端末の動作を制御するため及び方法、例えば図８の流れ図８００及び図９の流れ図９００の方法、を実装するためにメモリ１０１０内のルーチン１０１８を実行し、データ／情報１０２０を用いる。
【０１４５】
無線受信機モジュール１００２、例えばＣＤＭＡ又はＯＦＤＭ受信機、は、受信アンテナ１０１４に結合され、アクセス端末１０００は、受信アンテナ１０１４を介して、アクセスポイントからダウンリンク信号を受信する。受信機モジュール１００２は、通信ネットワークデバイスに対応する受信された予め決められたエアリンクアドレスを含むパケット、例えば受信されたパケット１０５０、を受信する。
【０１４６】
無線送信機モジュール１００４、例えばＣＤＭＡ又はＯＦＤＭ送信機、は、送信アンテナ１０１６に結合され、アクセス端末１０００は、送信アンテナ１０１６を介して、アップリンク信号をアクセスポイントに送信する。無線送信機モジュール１００４は、生成されたパケット、例えば生成されたパケット１０３４、をエアリンクを通じてアクセスポイントに送信する。
【０１４７】
幾つかの実施形態においては、同じアンテナが送信及び受信に関して用いられる。幾つかの実施形態においては、複数のアンテナ及び／又は複数のアンテナ要素が受信に関して用いられる。幾つかの実施形態においては、複数のアンテナ及び／又は複数のアンテナ要素が送信に関して用いられる。幾つかの実施形態においては、同じアンテナ又はアンテナ要素の少なくとも一部は、送信及び受信の両方に関して用いられる。幾つかの実施形態においては、アクセス端末は、ＭＩＭＯ技術を用いる。
【０１４８】
ユーザーＩ／Ｏデバイス１００８は、例えばマイク、キーボード、キーパッド、スイッチ、カメラ、スピーカー、ディスプレイ、等を含む。ユーザーＩ／Ｏデバイス１００８は、アクセス端末１０００のユーザーがデータ／情報を入力すること、出力データ／情報にアクセスすること、及びアクセス端末１０００の少なくとも幾つかの機能を制御すること、例えばピアノード、例えば他のアクセス端末との通信セッションを開始すること、を可能にする。
【０１４９】
ルーチン１０１８は、パケット生成モジュール１０２２と、アドレス決定モジュール１０２４と、デバイス識別モジュール１０２６と、異なるネットワークデバイスに対応する複数のソフトウェアモジュール（ネットワークデバイス１に関するソフトウェアモジュール１０２８、例えばＡＴのＩＡＰ、．．．、ネットワークデバイスＮに関するソフトウェアモジュール１０３０、例えばＡＴのセッションコントローラ）と、パケット処理モジュール１０３２と、を含む。データ／情報１０２０は、ネットワークデバイスに向けられた生成されたパケット１０３４と、ネットワークデバイスに対応する一組の予め定義されたエアリンクアドレス１０４０と、ネットワークデバイスからの情報を含む受信されたパケット１０５０と、を含む。ネットワークデバイスに向けられた生成されたパケット１０３４は、ネットワークデバイスに対応する予め決められたエアリンクアドレス１０３６と、ネットワークデバイスに通信されるべき情報１０３８と、を含む。ネットワークデバイスに対応する予め定義されたエアリンクアドレスの組１０４０は、異なるネットワークデバイスと関連づけられた複数の異なる予め定義されたエアリンクアドレス（ネットワークデバイス１、例えばＡＴのＩＡＰ、情報１０４２、．．．、ネットワークデバイスｎ、例えばＡＴのセッションコントローラ、情報１０４６）を含む。ネットワークデバイス１、例えばＡＴのＩＡＰ情報１０４２は、予め定義されたエアリンクアドレス１  １０４４を含み、他方、ネットワークデバイスｎ、例えばＡＴのセッションコントローラ、情報１０４６は、予め定義されたエアリンクアドレスｎ  １０４８を含む。
【０１５０】
幾つかの実施形態においては、予め定義されたエアリンクアドレスは、予約されたアドレスであり、前記格納されたエアリンクアドレスの組１０４０内の予め定義されたエアリンクアドレスのうちの少なくとも１つは、エアリンクを通じて前記アクセス端末によって用いられるその他のあらゆるアドレスと同じ短さであるか又はより短い。様々な実施形態においては、ネットワークデバイスと通信するためにアクセス端末１０００によって用いられる予め定義されたエアリンクアドレスは、その他のネットワークデバイスと通信するためにその他のアクセス端末によって用いられる予め定義されたエアリンクアドレスと同じである。幾つかの該実施形態においては、アクセス端末識別子を含む生成されたパケットは、パケットが通信されるべき前記ネットワークデバイスのＩＰアドレスを決定するために前記予め定義されたエアリンクアドレスと組み合わせて受信デバイスによって用いられる。
【０１５１】
様々な実施形態においては、その他のネットワークデバイスは、アクセス端末１０００からのパケットが向けられるネットワークデバイスと同じ型のネットワークデバイスである。例えば、アクセス端末１０００からのパケットが向けられるネットワークデバイスは、例えばＡＴの１０００ＩＡＰであり、その他のネットワークデバイスは、システム内の異なるＡＴに対応するＩＡＰであることができる。ＩＡＰは、同じ型であることができ、例えばＩＡＰは、アクセスポイントである。しかしながら、異なるＡＴに対応するＩＡＰは、異なる物理的デバイスに対応することができ、時々対応する。
【０１５２】
様々な実施形態においては、ネットワークデバイスは、インターネットアタッチメントポイントであり、ＡＴ  １０００に関するＩＡＰは、アクセス端末所在位置の変化に起因して変わり、ＩＡＰと通信するためにアクセス端末によって用いられる予約されたアドレスは、引き続き同じであるが、予約されたアドレスと例えばシステム内のアクセスポイントにおけるＩＰアドレスとの間でのマッピングは、アクセス端末がインターネットアタッチメントポイントを変更するときに変化する。様々な実施形態においては、ネットワークデバイスは、インターネットアタッチメントポイントであり、ＡＴ  １０００に関するＩＡＰは、ネットワークに関する考慮事項、例えば負荷問題、デバイス故障問題、ルーティングに関する考慮事項、等に起因して変わり、ＡＴのＩＡＰと通信するためにアクセス端末によって用いられる予約されたアドレスは、引き続き同じであるが、予約されたアドレスと例えばシステム内のアクセスポイントにおけるＩＰアドレスとの間でのマッピングは、アクセス端末のインターネットアタッチメントポイントが変えられたときに変化する。幾つかの実施形態においては、アクセス端末１０００は、自己のＩＡＰに対応するＩＰアドレスを知らない及び／又はネットワークに基づくＩＡＰの変更を知らず、例えば、アクセス端末１０００は、システム内のいずれの物理的デバイスが対応するかにかかわらず、現在割り当てられているＩＡＰと通信するために同じ予め定義されたエアリンクアドレスを用いる。
【０１５３】
ネットワークデバイス１０５０からの情報を含む受信された受信されたパケットは、パケットヘッダーソースフィールド１０５２とＡＴに通信されるべき情報１０５４とを含む。幾つかの実施形態においては、受信されたパケット１０５０は、ＭＡＣパケットである。パケットヘッダーソースフィールド１０５２は、ネットワークデバイスに対応する予め決められたエアリンクアドレス１０５６、例えば予め定義されたエアリンクアドレスの組（予め定義されたエアリンクアドレス１  １０４４、．．．、予め定義されたエアリンクアドレスｎ  １０４８）の中の１つ、を含む。
【０１５４】
パケット生成モジュール１０２２は、ネットワークデバイスに通信されるべき情報とネットワークデバイスに対応する予め決められたエアリンクアドレスとを含むパケットを生成し、前記ネットワークデバイスは、予め決められたエアリンクアドレスよりも長いＩＰアドレスを有する。ネットワークデバイスに向けられた生成されたパケット１０３４は、パケット生成モジュール１０２２によって生成された典型的パケットである。幾つかの実施形態においては、生成されたパケットは、ＭＡＣパケットである。
【０１５５】
アドレス決定モジュール１０２４は、アクセス端末が、情報１０４０に含まれる格納された予め定義されたエアリンクアドレスの組から情報を通信としようとするネットワークデバイスに対応する予め決められたエアリンクアドレスを選択し、選択されたアドレスをパケット生成モジュール１０２２に供給する。例えば、ＡＴがＡＴのＩＡＰに情報を通信することを希望する場合は、アドレス決定モジュールは、予め定義されたエアリンクアドレス１  １０４４を選択し、その選択されたアドレスをパケット生成モジュール１０２２に送信し、パケット生成モジュールは、前記アドレスを生成されたパケット内に含め、例えば、ネットワークデバイスに対応する予め決められたエアリンクアドレス１０３６を生成されたパケット１０３４に関する予め定義されたエアリンクアドレス１  １０４４に設定する。
【０１５６】
デバイス識別モジュール１０２６は、予め決められたエアリンクアドレス（１０４４、．．．、１０４８）の組及び受信されたパケットに含まれる予め決められたエアリンクアドレス、例えば受信されたパケット１０５０内の予め決められたエアリンクアドレス１０５６から、受信されたパケットに含まれる情報のソースであるネットワークデバイスを決定する。例えば、デバイス識別モジュール１０２６は、パケット１０５０内の情報１０５４のソースがＡＴの現在のＩＡＰであるネットワークデバイスであるか又はＡＴの現在のセッションコントローラであるネットワークデバイスであるかを決定する。
【０１５７】
ソフトウェアモジュール１０２８は、ネットワークデバイス１からのメッセージ、例えばＡＴのＩＡＰからのメッセージ、を処理する。ソフトウェアモジュール１０３０は、ネットワークデバイスｎからのメッセージ、例えばＡＴのセッションコントローラからのメッセージ、を処理する。
【０１５８】
パケット処理モジュール１０３２は、受信されたパケットを、いずれのネットワークデバイスが受信されたパケットに含まれる情報のソースであるか決定されることに依存する方法で処理し、前記処理することは、決定されたネットワークデバイスから受信されたメッセージを処理するアクセス端末１０００内のソフトウェアモジュール（１０２８、．．．、１０３０）のうちの１つに情報を向けることを含む。
【０１５９】
様々な実施形態においては、本明細書において説明されるノードは、側面の１つ以上の方法に対応するステップ、例えば信号処理ステップ、メッセージ生成ステップ及び／又は送信ステップ、を実行するための１つ以上のモジュールを用いて実装される。従って、幾つかの実施形態においては、様々な特長がモジュールを用いて実装される。該モジュールは、ソフトウェア、ハードウェア又はソフトウェアとハードウェアの組合せを用いて実装することができる。上述される方法又は方法ステップの多くは、上述される方法の全部又は一部を例えば１つ以上のノード内に実装するために、機械、例えば追加のハードウェアを有する又は有さない汎用コンピュータ、を制御するための、メモリデバイス、例えばＲＡＭ、フロッピー（登録商標）ディスク、コンパクトディスク、ＤＶＤ、等の機械によって読み取り可能な媒体、に含まれている機械によって実行可能な命令、例えばソフトウェア、を用いて実装することができる。従って、とりわけ、側面は、機械、例えばプロセッサ及び関連するハードウェア、に上述される方法のステップのうちの１つ以上を実行させるための機械によって実行可能な命令を含む機械によって読み取り可能な媒体を対象とする。
【０１６０】
様々な実施形態においては、本明細書において説明されるノードは、１つ以上の方法に対応するステップ、例えば信号処理ステップ、メッセージ生成ステップ及び／又は送信ステップ、を実行するための１つ以上のモジュールを用いて実装される。幾つかの典型的ステップは、接続要求を送信することと、接続応答を受信することと、アクセス端末がアクティブな接続を有するアクセスポイントを示す一組の情報を更新することと、接続要求を転送することと、接続応答を転送することと、資源割り当てを決定することと、資源を要求することと、資源を更新すること、等を含む。幾つかの実施形態においては、様々な特長がモジュールを用いて実装される。該モジュールは、ソフトウェア、ハードウェア又はソフトウェアとハードウェアの組合せを用いて実装することができる。上述される方法又は方法ステップの多くは、上述される方法の全部又は一部を例えば１つ以上のノード内に実装するために、機械、例えば追加のハードウェアを有する又は有さない汎用コンピュータ、を制御するための、メモリデバイス、例えばＲＡＭ、フロッピーディスク、コンパクトディスク、ＤＶＤ、等の機械によって読み取り可能な媒体、に含まれている機械によって実行可能な命令、例えばソフトウェア、を用いて実装することができる。従って、とりわけ、様々な実施形態は、機械、例えばプロセッサ及び関連するハードウェア、に上述される方法のステップのうちの１つ以上を実行させるための機械によって実行可能な命令を含む機械によって読み取り可能な媒体を対象とする。
【０１６１】
幾つかの実施形態においては、１つ以上のデバイス、例えば、アクセス端末及び／又はアクセスポイント等の通信デバイス、のプロセッサ又はプロセッサ（複数）、例えばＣＰＵ、は、通信デバイスによって実行されるものとして説明される方法のステップを実行するように構成される。プロセッサの構成は、プロセッサ構成を制御するための１つ以上のモジュール、例えばソフトウェアモジュール、を用いることによって及び／又は上記のステップを実行する及び／又はプロセッサ構成を制御するためのハードウェア、例えばハードウェアモジュール、をプロセッサ内に含めることによって達成させることができる。従って、幾つかの、ただしすべてではない実施形態は、プロセッサが含まれているデバイスによって実行される様々な説明された方法のステップの各々に対応するモジュールを含むプロセッサを有するデバイス、例えば通信デバイス、を対象とする。幾つかの、ただしすべてではない実施形態においては、デバイス、例えば通信デバイス、は、プロセッサが含まれているデバイスによって実行される様々な説明された方法のステップの各々に対応するモジュールを含む。モジュールは、ソフトウェア及び／又はハードウェアを用いて実装することができる。
【０１６２】
上記の説明に鑑みて、上述される方法及び装置に関する数多くの追加の変形が当業者にとって明確になるであろう。該変形は、適用範囲内にあるとみなされるべきである。様々な実施形態の方法及び装置は、ＣＤＭＡ、直交周波数分割多重化（ＯＦＤＭ）、及び／又はアクセスノードとモバイルノードとの間において無線通信リンクを提供するために用いることができる様々なその他の型の通信技術とともに用いることができ、様々な実施形態において用いられる。幾つかの実施形態においては、アクセスノードは、ＯＦＤＭ及び／又はＣＤＭＡを用いてモバイルノードとの通信リンクを構築する基地局として実装される。様々な実施形態においては、モバイルノードは、様々な実施形態の方法を実装するための、受信機／送信機回路及び論理及び／又はルーチンを含むノート型コンピュータ、パーソナルデータアシスタント（ＰＤＡ）、又はその他のポータブルデバイスとして実装される。
【図１】
2009540697.tif 000003
【図２】
2009540697.tif 000004
【図３】
2009540697.tif 000005
【図４】
2009540697.tif 000006
【図５】
2009540697.tif 000007
【図６】
2009540697.tif 000008
【図７】
2009540697.tif 000009
【図８】
2009540697.tif 000010
【図９】
2009540697.tif 000011
【図１０】
2009540697.tif 000012
【国際調査報告】
2009540697.tif 000013
2009540697.tif 000014